(57)【要約】【課題】  超薄型のスロットインディスクドライブ装置として外径の異なるディスクに対応可能とする。【解決手段】  ディスク装着部２３と対向する主面とディスク挿脱口１９から挿入されたディスク２の主面との間で回動操作される複数の回動アーム３５，３６によって、ディスク挿脱口１９から挿入されたディスク２の外周部を挟み込みながら、ディスク２をディスク挿脱口１９から筐体３の内部へと引き込むローディング動作と、ディスク２をディスク装着部２３に位置決めするセンタリング動作と、ディスク２をディスク挿脱口１９から筐体３の外部へと排出するイジェクト動作とを行う。【選択図】  図４
2005190645.tif 000002
【特許請求の範囲】
【請求項１】
前面に光学ディスクが挿脱されるディスク挿脱口が設けられた筐体と、
上記ディスク挿脱口から上記筐体の内部に挿入された光学ディスクが装着されるディスク装着部と、このディスク装着部に装着された光学ディスクを回転駆動するディスク回転駆動機構と、このディスク回転駆動機構により回転駆動される光学ディスクに対して信号の書き込み及び／又は読み出しを行う光学ピックアップと、この光学ピックアップを光学ディスクの内外周に亘って送り動作させるピックアップ送り機構とを有し、これらがベースに一体に設けられたベースユニットと、
上記ディスク挿脱口から上記光学ディスクが挿脱されるディスク挿脱位置と、上記ディスク装着部に上記光学ディスクが装着されるディスク装着位置との間で上記光学ディスクの搬送を行うディスク搬送機構とを備え、
上記ディスク搬送機構は、上記筐体の上記ディスク装着部と対向する主面と上記ディスク挿脱口から挿入された光学ディスクの主面との間で移動操作される複数のサポート部材を有し、
上記複数のサポート部材は、上記ディスク挿脱口から挿入された光学ディスクの外周部と当接可能な当接部を有し、これら当接部により上記光学ディスクの外周部を挟み込みながら、上記光学ディスクを上記ディスク挿脱口から上記筐体の内部へと引き込むローディング動作と、上記光学ディスクを上記ディスク装着位置に位置決めするセンタリング動作と、上記光学ディスクを上記ディスク挿脱口から上記筐体の外部へと排出するイジェクト動作とのうち、少なくとも１つの動作を行うことを特徴とするディスクドライブ装置。
【請求項２】
上記複数のサポート部材は、外径の異なる光学ディスクに対応可能であることを特徴とする請求項１記載のディスクドライブ装置。
【請求項３】
上記外径の異なる光学ディスクは、直径１２ｃｍの大径ディスクと、直径８ｃｍの小径ディスクであることを特徴とする請求項２記載のディスクドライブ装置。
【請求項４】
上記当接部は、上記サポート部材の上記ディスク装着部と対向する主面から突出して設けられていることを特徴とする請求項１記載のディスクドライブ装置。
【請求項５】
上記当接部は、上記サポート部材の上記ディスク装着部と対向する主面に回転可能に取り付けられた回転ローラであることを特徴とする請求項４記載のディスクドライブ装置。
【請求項６】
上記当接部は、先端部にフランジを有することを特徴とする請求項４記載のディスクドライブ装置。
【請求項７】
上記当接部は、上記光学ディスクよりも柔らかい樹脂からなることを特徴とする請求項１記載のディスクドライブ装置。
【請求項８】
上記サポート部材は、板金からなることを特徴とする請求項１記載のディスクドライブ装置。
【請求項９】
上記サポート部材は、上記当接部が先端部に設けられ、基端部が回動可能に支持されることによって、上記ディスク挿脱口から挿入された光学ディスクの主面と平行な面内で揺動可能とされた回動部材であることを特徴とする請求項１記載のディスクドライブ装置。
【請求項１０】
上記筐体の上記ディスク装着部と対向する主面には、上記回動部材の先端部を高さ方向に規制しながら案内するガイド部材が設けられていることを特徴とする請求項９記載のディスクドライブ装置。
【請求項１１】
上記回動部材の先端部は、上記筐体の上記ディスク装着部と対向する主面と上記ガイド部材との間に形成されたガイド溝に係合されることを特徴とする請求項１０記載のディスクドライブ装置。
【請求項１２】
上記筐体の上記ディスク装着部と対向する主面には、上記回動部材の先端部を上記ガイド溝に係合させるための作業用の窓部が設けられていることを特徴とする請求項１１記載のディスクドライブ装置。
【請求項１３】
上記複数のサポート部材は、上記筐体の上記ディスク装着部を挟んだ左右の両側に各々配置され、上記ディスク装着部よりも背面側に位置する基端部が回動可能に支持されると共に、上記ディスク装着部よりも前面側に位置する先端部が上記ディスク挿脱口から挿入された光学ディスクの主面と平行な面内で互いに近接又は離間する方向に揺動可能とされた第１の回動部材及び第２の回動部材であり、
上記第１の回動部材及び上記第２の回動部材は、上記ディスク挿脱口から挿入される大径及び小径の光学ディスクの外周部と当接可能な複数の当接部を有し、これら当接部の内側に上記大径又は上記小径の光学ディスクをそれぞれ挟み込むことによって、各光学ディスクを上記ディスク装着位置に位置決めするセンタリング動作を行うことを特徴とする請求項９記載のディスクドライブ装置。
【請求項１４】
上記筐体は、略扁平箱状に形成された下部筐体と、この下部筐体の上部開口部を閉塞する天板とを有し、
上記天板の前面側には、上記第１の回動部材の先端部と上記第２の回動部材の先端部とを高さ方向に規制しながら、互いに近接又は離間する方向に案内するガイド部材が取り付けられていることを特徴とする請求項１３記載のディスクドライブ装置。
【請求項１５】
上記回動部材の先端部は、上記天板と上記ガイド部材との間に形成されたガイド溝に係合されることを特徴とする請求項１４記載のディスクドライブ装置。
【請求項１６】
上記天板には、上記第１の回動部材の先端部及び上記第２の回動部材の先端部を上記ガイド溝に係合させるための作業用の窓部が設けられていることを特徴とする請求項１４記載のディスクドライブ装置。
【請求項１７】
上記筐体は、略扁平箱状に形成された下部筐体と、この下部筐体の上部開口部を閉塞する天板とを有し、
上記天板には、上記ディスク装着部と対向する主面の剛性を高める補強用のビード部が、上記第１の回動部材及び上記第２の回動部材の可動範囲を除く領域に位置して設けられていることを特徴とする請求項１３記載のディスクドライブ装置。
【請求項１８】
上記ビード部は、上記天板の上記第１の回動部材と上記第２の回動部材との間における上記ディスク装着部と対向する位置を挟んだ前後の領域に亘って設けられていることを特徴とする請求項１７記載のディスクドライブ装置。
【請求項１９】
上記サポート部材は、上記筐体の上記ディスク装着部と対向する主面にスライド可能に支持されたスライド部材であることを特徴とする請求項１記載のディスクドライブ装置。
【請求項２０】
上記ベースを上昇させて上記ディスク装着位置に位置決めされた上記光学ディスクを上記ディスク装着部に装着するチャッキング位置と、上記ベースを下降させて上記ディスク装着部から上記光学ディスクを離脱するチャッキング解除位置との間で上記ベースを昇降操作するベース昇降機構を備えることを特徴とする請求項１記載のディスクドライブ装置。
【請求項２１】
上記ディスク装着部は、上記ディスク回転駆動機構により回転駆動されるターンテーブルと、このターンテーブルの中心部に上記光学ディスクの中心孔に係合される係合突部と、この係合突部に係合された上記光学ディスクの中心孔の周囲を係止する複数の係止爪とを有し、
上記筐体は、上記ディスク装着部と対向する主面に、チャッキング動作時に上記係合突部を外方に臨ませる開口部と、この開口部の周囲が上記ディスク装着部に向かって突出された当接突部とを有し、
上記ベース昇降機構は、上記ベースを上記チャッキング位置まで上昇させたとき、上記ディスク装着位置に位置決めされた上記光学ディスクの中心孔に上記係合突部が入り込みながら、上記当接突部に上記光学ディスクの中心孔の周囲が押し付けられることによって、上記係合突部が上記光学ディスクの中心孔に係合されると共に、上記複数の係止爪が上記光学ディスクの中心孔の周囲を係止した状態で、上記光学ディスクが上記ターンテーブル上に保持されることによって、上記光学ディスクを上記ディスク装着部に装着するチャッキング動作を行うことを特徴とする請求項２０記載のディスクドライブ装置。
【請求項２２】
上記筐体の底面部に上記ディスク装着部近傍から上方に向かって突出された押上部材を有し、
上記ベース昇降機構は、上記ベースを上記チャッキング解除位置まで下降させたとき、上記押上部材の先端部を上記ディスク装着部に装着された上記光学ディスクの内周側の非信号記録領域に当接させることによって、上記光学ディスクを押し上げながら、上記ディスク装着部から上記光学ディスクを離脱するチャッキング解除動作を行うことを特徴とする請求項２１記載のディスクドライブ装置。
【請求項２３】
上記ベース昇降機構が上記ベースを上記チャッキング位置と上記チャッキング解除位置との間の中間位置に保持した状態で、上記光学ディスクに対する信号の記録及び／又は再生動作が行われることを特徴とする請求項２０記載のディスクドライブ装置。
【発明の詳細な説明】
【技術分野】
【０００１】
本発明は、光学ディスクに対して情報信号の記録及び／又は再生を行うディスクドライブ装置に関し、特にスロットイン型のディスクドライブ装置に関する。
【背景技術】
【０００２】
光学ディスクとしては、従来よりＣＤ(Compact Disk)やＤＶＤ(Digital Versatile Disk)といった光ディスク、ＭＯ(Magneto optical)やＭＤ(Mini Disk)等の光磁気ディスクが広く知られており、これらディスクやディスクカートリッジ等に対応した各種のディスクドライブ装置が登場している。
【０００３】
ディスクドライブ装置には、筐体に設けられた蓋や扉を開放し、そこから臨むターンテーブルにディスクを直接装着するタイプ、筐体から水平方向に出し入れされるディスクトレイにディスクを載置することで、ディスクトレイが引き込まれた際にディスクが内部のターンテーブルに自動的に装着されるタイプ、或いはこのディスクトレイに設けられたターンテーブルにディスクを直接装着するタイプ等がある。しかしながら、何れのタイプも操作者にとって、蓋や扉を開閉したり、ディスクトレイを出し入れしたり、ターンテーブルにディスクを装着したりといった操作を必要とする。
【０００４】
これに対して、筐体の前面に設けられたディスク挿脱口からディスクを挿入するだけでディスクが自動的にターンテーブルに装着される、いわゆるスロットイン型のディスクドライブ装置がある。このディスクドライブ装置では、ディスク挿脱口からディスクが挿入されると、互いに対向する一対のガイドローラの間にディスクを挟み込みながら、これら一対のガイドローラを互いに逆向きに回転させることによって、ディスク挿脱口から挿入されたディスクを筐体の内部へと引き込むローディング動作と、このディスク挿脱口からディスクを筐体の外部へと排出するイジェクト動作とを行う。
【０００５】
ところで、ディスクドライブ装置が搭載される、例えばノート型パーソナルコンピュータ等のモバイル機器では、更なる小型軽量薄型化が求められており、それに伴うディスクドライブ装置の小型軽量薄型化の要求も高まっている。また、近年では、パーソナルコンピュータ等で主流であったトレイ型のディスクドライブ装置よりも、操作感のよいスロットイン型のディスクドライブ装置の需要が高まっている。
【０００６】
しかしながら、スロットイン型のディスクドライブ装置では、上述した一対のガイドローラの長さがディスクの直径よりも長くなることから、装置全体の幅方向の寸法が長くなる。また、一対のガイドローラの間にディスクを挟み込むことから、厚み方向の寸法も長くなる。このため、従来のスロットイン型のディスクドライブ装置では、小型化や薄型化に非常に不利であった。
【０００７】
特に、ノート型パーソナルコンピュータ等に搭載される超薄型のディスクドライブ装置は、厚さ１２．７ｍｍが標準サイズとされており、更にハードディスクドライブ（ＨＤＤ）ユニットと同等の厚みである９．５ｍｍまで薄型化された場合には、このようなガイドローラをそのまま転用することは寸法上非常に困難となる。
【０００８】
そこで、スロットイン型のディスクドライブ装置では、小型化や薄型化の要求に応えるため、ディスク挿脱口から挿入されたディスクと、このディスクが装着されるターンテーブルが取り付けられたベースとの間に複数の回動アームを配置し、これら回動アームを当該ディスクと平行な面内で回動させながら、ディスクをディスク挿脱口から筐体の内部へと引き込むローディング動作と、ディスクをディスク挿脱口から筐体の外部へと排出するイジェクト動作とを行うディスクドライブ装置が提案されている（例えば、特許文献１を参照。）。
【０００９】
しかしながら、上記特許文献１に記載されるディスクドライブ装置では、標準サイズである直径１２ｃｍのディスクにのみ対応可能なため、標準サイズと外径が異なるディスク、例えばシングルＣＤやカムコーダ等で使用される記録用ＤＶＤといった直径８ｃｍの小径ディスクがディスク挿脱口から挿入された際に、これら小径ディスクをディスク挿脱口から強制的に排出する機構となっている。すなわち、上記特許文献１に記載されるディスクドライブ装置では、複数の回動アームによって外径の異なるディスクをディスク装着位置に位置決めするセンタリング動作を行うことはできない。
【００１０】
一方、従来のスロットイン型のディスクドライブ装置では、一部のＡＶ向けＤＶＤプレーヤにおいて外径の異なるディスクに対応可能としたものもあるが、およそ４０ｍｍ以上の厚みを必要とし、部品点数も多くなるため、そのような従来の機構をそのまま厚さ１２．７ｍｍや厚さ９．５ｍｍといった超薄型のディスクドライブ装置に転用することは困難である。
【００１１】
また、トレイ型のディスクドライブ装置の中には、直径８ｃｍのディスクに直径１２ｃｍのリング状のアダプタを取り付けることで、外径の異なるディスクに対応させたものもある。しかしながら、このようなアダプタの取付作業は、ユーザとって煩わしく取り扱いが面倒であるといった不都合が生じてしまう。さらに、アダプタのディスクに対する取付信頼性の低さから、このようなアダプタ付きディスクをスロットイン型のディスクドライブ装置のターンテーブルに装着しようとした場合には、上述したセンタリング動作が不安定となるだけでなく、ディスクからアダプタが脱落して、ディスクを傷付けたり、ドライブ装置を損傷させたりする危険性が生じてしまう。
【００１２】
また、特許文献１に記載されるディスクドライブ装置では、上述したセンタリング動作の後に、ベースを上昇させてターンテーブル上にディスクを装着するチャッキング動作を行っている。この場合、チャッキング時において、ディスクとベースとの間のクリアランスが極めて狭くなる。このため、ベースを上昇させてターンテーブル上にディスクを装着する際には、回動アームとベースとの衝突を回避するため、回動アームをベースよりも外側に位置させる必要がある。
【００１３】
直径１２ｃｍのディスクの場合、上述したセンタリング動作の際に、ディスクの外周部を保持する回動アームがベースの外側となるため、このような回動アームとベースとの衝突の問題は生じない。これに対して、直径８ｃｍのディスクの場合、ディスクの外周部を保持する回動アームがベース上に位置することになり、ベースによって押し上げられた回動アームがディスクと接触して、ディスクを傷付けたり、回動アームが変形してしまうといった問題が生じてしまう。
【００１４】
【特許文献１】特開２００２−１１７６０４号公報
【発明の開示】
【発明が解決しようとする課題】
【００１５】
そこで、本発明は、このような従来の事情に鑑みて提案されたものであり、ディスク挿脱口から挿入された光学ディスクとベースとの間のクリアランスの影響を受けることなく装置全体の更なる小型軽量薄型化が可能であり、外径の異なるディスクにも対応可能なスロットイン型のディスクドライブ装置を提供することを目的とする。
【課題を解決するための手段】
【００１６】
この目的を達成するために、本発明に係るディスクドライブ装置は、前面に光学ディスクが挿脱されるディスク挿脱口が設けられた筐体と、ディスク挿脱口から筐体の内部に挿入された光学ディスクが装着されるディスク装着部と、このディスク装着部に装着された光学ディスクを回転駆動するディスク回転駆動機構と、このディスク回転駆動機構により回転駆動される光学ディスクに対して信号の書き込み及び／又は読み出しを行う光学ピックアップと、この光学ピックアップを光学ディスクの内外周に亘って送り動作させるピックアップ送り機構とを有し、これらがベースに一体に設けられたベースユニットと、ディスク挿脱口から光学ディスクが挿脱されるディスク挿脱位置と、ディスク装着部に光学ディスクが装着されるディスク装着位置との間で光学ディスクの搬送を行うディスク搬送機構とを備え、ディスク搬送機構は、筐体のディスク装着部と対向する主面とディスク挿脱口から挿入された光学ディスクの主面との間で移動操作される複数のサポート部材を有する。そして、複数のサポート部材は、ディスク挿脱口から挿入された光学ディスクの外周部と当接可能な当接部を有し、これら当接部により光学ディスクの外周部を挟み込みながら、光学ディスクをディスク挿脱口から筐体の内部へと引き込むローディング動作と、光学ディスクをディスク装着位置に位置決めするセンタリング動作と、光学ディスクをディスク挿脱口から筐体の外部へと排出するイジェクト動作とのうち、少なくとも１つの動作を行うことを特徴としている。
【発明の効果】
【００１７】
以上のように、本発明に係るディスクドライブ装置では、ディスク挿脱口から挿入された光学ディスクとベースとの間のクリアランスの影響を受けることなく、複数のサポート部材によって光学ディスクのローディング動作、センタリング動作、又はイジェクト動作を適切且つ安定的に行うことが可能であり、スロットイン型のディスクドライブ装置として、装置全体の更なる小型軽量薄型化が可能である。また、外径の異なる光学ディスクに対応することも可能である。
【発明を実施するための最良の形態】
【００１８】
以下、本発明を適用したディスクドライブ装置について、図面を参照しながら詳細に説明する。
【００１９】
本発明を適用したディスクドライブ装置は、例えば図１に示すように、ノート型パーソナルコンピュータ１０００の装置本体１００１に搭載されたスロットイン型のディスクドライブ装置１である。このディスクドライブ装置１は、図２に示すように、例えば１２．７ｍｍ程度にまで装置全体が薄型化された構造を有しており、ＣＤ(Compact Disk)やＤＶＤ(Digital Versatile Disk)といった光ディスク２に対して情報信号の記録・再生を行うことが可能となっている。また、このディスクドライブ装置１は、標準サイズである直径１２ｃｍのディスク（以下、大径ディスクという。）と、この大径ディスクよりも小径な直径８ｃｍのディスク（以下、小径ディスクという。）とに対応可能となっている。
【００２０】
先ず、このディスクドライブ装置１の具体的な構成について説明する。
【００２１】
このディスクドライブ装置１は、図２に示すように、装置本体の外筐となる筐体３を備え、この筐体３は、下部筐体である略扁平箱状のボトムケース４と、このボトムケース４の上部開口部を覆う天板であるトップカバー５とから構成されている。
【００２２】
トップカバー５は、図２及び図３に示すように、薄い板金からなり、ボトムケース４の上部開口部を閉塞する天板部５ａと、この天板部５ａの周囲がボトムケース４の両側面に沿って僅かに折り曲げられた一対の側板部５ｂとを有している。天板部５ａの略中央部には、略円形状の開口部６が形成されている。この開口部６は、後述するチャッキング動作時に光ディスク２の中心孔２ａに係合されるターンテーブル２３ａの係合突部２８ａを外部に臨ませるためのものである。また、天板部５ａの開口部６の周囲は、ターンテーブル２３ａ上に保持された光ディスク２の中心孔２ａの周囲と当接されるように、筐体３の内側に向かって僅かに突出した当接突部７を形成している。
【００２３】
天板部５ａの内側の主面には、後述する第１の回動アーム３５の先端部と第２の回動アーム３６の先端部とを高さ方向に規制しながら、互いに近接又は離間する方向に案内するガイド部材８が設けられている。このガイド部材８は、天板部５ａの両側板部５ｂの間に亘って略円弧状をなす板金からなり、天板５ａの前面側にスポット溶接等により取り付けられている。また、このガイド部材８は、背面側が前面側の取付面よりも一段高くなされた段差部８ａを有している。これにより、ガイド部材８の背面側の段差部８ａと天板部５ａとの間には、第１の回動アーム３５の先端部及び第２の回動アーム３６の先端部が係合されるガイド溝９が形成されている。また、天板部５ａには、このガイド溝９に第１の回動アーム３５の先端部と第２の回動アーム３６の先端部とを係合させるための作業用の窓部１０がそれぞれ設けられている。
【００２４】
ボトムケース４は、図４に示すように、略扁平箱状に形成された板金からなり、その底面部は、略矩形状であり、一方の側面部には、この底面部よりも底上げされて外側へと張り出したデッキ部４ａが設けられている。
【００２５】
ボトムケース４の底面部には、図示を省略するが、駆動制御回路を構成するＩＣチップ等の電子部品や、各部の電気的な接続を図るためのコネクタ、各部の動作を検出するための検出スイッチ等が配置された回路基板がネジ止め等により取り付けられている。また、ボトムケース４の底面部には、シャーシ１１がネジ止めにより取り付けられている。このシャーシ１１は、回路基板の上方において、ボトムケース４の内部を上記デッキ部４ａと略同等の高さで上下に仕切るように配置されている。
【００２６】
そして、このボトムケース５には、図２に示すように、上記トップカバー４がネジ止めにより取り付けられている。具体的に、天板部５ａの外周縁部には、図３に示すように、ネジ１２を貫通させる複数の貫通孔１３が形成されている。また、両側の側板部５ｂには、内側に略直角に折り曲げられた複数のガイド片１４が設けられている。一方、ボトムケース４の外周縁部には、図４に示すように、内側に略直角に折り曲げられた複数の固定片１５が設けられており、これら固定片１５には、トップカバー５の貫通孔１３に対応したネジ孔１６が形成されている。また、ボトムケース４の両側面部には、トップカバー５の複数のガイド片１４の抜け止めとなる複数のガイドスリット１７が形成されている。
【００２７】
そして、ボトムケース４にトップカバー５を取り付ける際は、ボトムケース４の複数のガイドスリット１７にトップカバー５の複数のガイド片１４を係合させた状態で、トップカバー５を前面側から背面側へとスライドさせる。これにより、トップカバー５の天板部５ａがボトムケース４の上部開口部を閉塞した状態となる。そして、この状態でトップカバー５の複数の貫通孔１３を通してボトムケース４のネジ孔１６にネジ１２を螺合する。以上のようにして、図２に示す筐体３が構成されている。
【００２８】
なお、トップカバー５の天板部５ａには、組付後に、上述した開口部６や作業用の窓部１０を覆うラベルシール（図示せず。）が貼り付けられる。これにより、筐体３の内部に塵埃等が侵入することを防止する。
【００２９】
筐体３の前面には、図２に示すように、略矩形平板状のフロントパネル１８が取り付けられている。このフロントパネル１８には、光ディスク２が水平方向に出し入れされるディスク挿脱口１９が設けられている。すなわち、光ディスク２は、このディスク挿脱口１９から筐体３の内部へと挿入したり、或いはこのディスク挿脱口１９から筐体３の外部へと排出したりすることが可能となっている。また、フロントパネル１８の前面には、光ディスク２に対するアクセス状態を点灯表示する表示部２０や、光ディスク２を排出する際に押圧されるイジェクトボタン２１が設けられている。
【００３０】
このディスクドライブ装置１は、図４及び図５に示すように、ボトムケース４の底面部にドライブ本体を構成するベースユニット２２を備えている。
【００３１】
このベースユニット２２は、ディスク挿脱口１９から筐体３の内部に挿入された光ディスク２が装着されるディスク装着部２３と、このディスク装着部２３に装着された光ディスク２を回転駆動するディスク回転駆動機構２４と、このディスク回転駆動機構２４により回転駆動される光ディスク２に対して信号の書き込み又は読み出しを行う光学ピックアップ２５と、この光学ピックアップ２５を光ディスク２の半径方向に送り動作させるピックアップ送り機構２６とを有し、これらがベース２７に一体に設けられた超薄型構造を有している。
【００３２】
このベースユニット２２は、ボトムケース４の底面部においてディスク装着部２３が略々中央に位置するように、シャーシ１１よりも前面側に配置されている。また、このベースユニット２２は、後述するベース昇降機構５５によって昇降可能とされており、初期状態において、ディスク挿脱口１９から筐体３の内部に挿入される光ディスク２よりも下方に位置している。
【００３３】
ベース２７は、板金を所定の形状に打ち抜き、その周囲を僅かに下方に折り曲げて形成されている。ベース２７の主面には、後述するディスク装着部２３のターンテーブル２３ａを上方へと臨ませる略半円状のテーブル用開口部２７ａと、後述する光学ピックアップ２５の対物レンズ２５ａを上方へと臨ませる略矩形状のピックアップ用開口部２７ｂとが連続形成されている。なお、ベース２７の上面部には、これら開口部２７ａ，２７ｂに対応した開口部が形成された化粧板（図示せず。）が取り付けられる。
【００３４】
ディスク装着部２３は、ディスク回転駆動機構２４により回転駆動されるターンテーブル２３ａを有し、このターンテーブル２３ａの中心部には、光ディスク２を装着するためのチャッキング機構２８が設けられている。このチャッキング機構２８は、光ディスク２の中心孔２ａに係合される係合突部２８ａと、この係合突部２８ａに係合された光ディスク２の中心孔２ａの周囲を係止する複数の係止爪２８ｂとを有し、光ディスク２をターンテーブル２３ａ上に保持する。
【００３５】
ディスク回転駆動機構２４は、光ディスク２をターンテーブル２７ａと一体に回転駆動する扁平状のスピンドルモータ２４ａを有し、このスピンドルモータ２４ａは、上面部に設けられたターンテーブル２３ａがベース２７のテーブル用開口部２７ａから僅かに突出するように、支持板２４ｂを介してベース２７の下面にネジ止めにより取り付けられている。
【００３６】
光学ピックアップ２５は、光源となる半導体レーザから出射された光ビームを対物レンズ２５ａにより集光させて光ディスク２の信号記録面に照射し、この光ディスク２の信号記録面で反射された戻りの光ビームを受光素子等からなる光検出器により検出する光学ブロックを有し、光ディスク２に対する信号の書き込み又は読み出しを行うようになされている。
【００３７】
また、この光学ピックアップ２５は、対物レンズ２５ａを光軸方向（フォーカッシング方向という。）と、光ディスクの記録トラックと直交する方向（トラッキング方向という。）とに変位駆動する２軸アクチュエータ等の対物レンズ駆動機構を有し、上述した光検出器により検出された光ディスク２からの検出信号に基づいて、この２軸アクチュエータにより対物レンズ２５ａをフォーカッシング方向及びトラッキング方向に変位させながら、光ディスク２の信号記録面上に対物レンズ２５ａの焦点を合わせるフォーカスサーボや、対物レンズ２５ａにより集光される光ビームのスポットを記録トラックに追従させるトラッキングサーボ等の駆動制御を行うようになされている。なお、対物レンズ駆動機構としては、このようなフォーカシング制御及びトラッキング制御に加えて、対物レンズ２５ａにより集光された光ビームを光ディスク２の信号記録面に垂直に照射させるように、光ディスク２の信号記録面に対する対物レンズ２５ａの傾き（スキュー）を調整可能とする３軸アクチュエータを用いてもよい。
【００３８】
ピックアップ送り機構２６は、光学ピックアップ２５が搭載されたピックアップベース２９と、このピックアップベース２９を光ディスク２の半径方向にスライド可能に支持する一対のガイド軸３０ａ，３０ｂと、これら一対のガイド軸３０ａ，３０ｂに支持されたピックアップベース２９を光ディスク２の半径方向に変位駆動する変位駆動機構３１とを有している。
【００３９】
ピックアップベース２９には、一対のガイド軸３０ａ，３０ｂのうち、一方のガイド軸３０ａを挿通するガイド孔が形成された一対のガイド片３２ａ，３２ｂと、他方のガイド軸３０ｂを挟み込むガイド溝が形成されたガイド片３３とが互いに対向する側面から突出形成されている。これにより、ピックアップベース２９は、一対のガイド軸３０ａ，３０ｂにスライド可能に支持されている。
【００４０】
一対のガイド軸３０ａ，３０ｂは、ベース２７の下面に光ディスク２の半径方向と互いに平行となるように配置されており、ベース２７のピックアップ用開口部２７ｂから光学ピックアップ２５が臨むピックアップベース２９を光ディスク２の内外周に亘って案内する。
【００４１】
変位駆動機構３１は、ベース２７に取り付けられた駆動モータ３１ａの回転駆動をギヤやラック（図示せず。）を介して直線駆動に変換し、ピックアップベース２９を一対のガイド軸３０ａ，３０ｂに沿った方向、すなわち光ディスク２の半径方向に変位駆動させる。
【００４２】
このディスクドライブ装置１は、図４に示すように、ディスク挿脱口１９から光ディスク２が挿脱されるディスク挿脱位置と、ディスク装着部２３のターンテーブル２３ａに光ディスク２が装着されるディスク装着位置との間で光ディスク２の搬送を行うディスク搬送機構３４を備えている。
【００４３】
このディスク搬送機構３４は、天板部５ａのディスク装着部２３と対向する主面と、ディスク挿脱口１９から挿入された光ディスク２の主面との間で移動操作されるサポート部材として、当該ディスク２の主面と平行な面内で揺動可能とされた第１の回動アーム３５及び第２の回動アーム３６を有している。
【００４４】
これら第１の回動アーム３５及び第２の回動アーム３６は、ディスク装着部２３を挟んだ左右の両側に各々配置されており、それぞれディスク装着部２３よりも背面側に位置する基端部が回動可能に支持されると共に、ディスク装着部２３よりも前面側に位置する先端部がディスク挿脱口１９から挿入された光ディスク２の主面と平行な面内で互いに近接又は離間する方向に揺動可能となっている。
【００４５】
具体的に、第１の回動アーム３５は、長尺状の板金からなり、ディスク装着部２３のターンテーブル２３ａを挟んだ左右の一方側（例えば図４中の右側）に位置して、基端部がシャーシ１１上に設けられた第１の支軸３７を介して、矢印ａ１方向及び矢印ａ２方向に回動可能に支持されている。また、第１の回動アーム３５の先端部には、ディスク挿脱口１９から挿入された光ディスク２の外周部と当接される第１の前面側当接部材３８が下方に向かって突出して設けられている。また、第１の回動アーム３５の基端部近傍には、光ディスク２をディスク装着位置に位置決めする際に、第１の前面側当接部材３８と共に光ディスク２の外周部に当接される第１の背面側当接部材３９が下方に向かって突出して設けられている。
【００４６】
第１の前面側当接部材３８及び第１の背面側当接部材３９は、光ディスク２よりも柔らかい樹脂からなり、ディスク挿脱口１９から挿入された光ディスク２の外周部と当接される中央部分が内側に湾曲し、その両端部が拡径されたフランジ部３８ａ，３９ａとして光ディスク２の高さ方向の移動を規制する略鼓形形状を有している。また、これら第１の前面側当接部材３８及び第１の背面側当接部材３９は、第１の回動アーム３５のディスク装着部２３と対向する主面に回転可能に取り付けられた小径の回転ローラであってもよい。
【００４７】
一方、第２の回動アーム３６は、長尺状の板金からなり、ディスク装着部２３のターンテーブル２３ａを挟んだ左右の他方側（例えば図４中の左側）に位置して、基端部がシャーシ１１上に設けられた上記第１の支軸３７を介して、矢印ｂ１方向及び矢印ｂ２方向に回動可能に支持されている。また、第２の回動アーム３６の先端部には、ディスク挿脱口１９から挿入された光ディスク２の外周部に当接される第２の前面側当接部材４０が下方に向かって突出して設けられている。
【００４８】
第２の前面側当接部材４０は、光ディスク２よりも柔らかい樹脂からなり、ディスク挿脱口１９から挿入された光ディスク２の外周部と当接される中央部分が内側に湾曲し、その両端部が拡径されたフランジ部４０ａとして光ディスク２の高さ方向の移動を規制する略鼓形形状を有している。また、この第２の前面側当接部材４０は、第２の回動アーム３６のディスク装着部２３と対向する主面に回転可能に取り付けられた小径の回転ローラであってもよい。
【００４９】
このように、第１の回動アーム３５と第２の回動アーム３６とは、ディスク装着部２３のターンテーブル２３ａを挟んで略対称となる位置に配置されており、互いの回動中心がディスク装着部２３よりも背面側の略中央部において一致している。また、第１の回動アーム３５の先端部及び第２の回動アーム３６の先端部は、上述した天板部５ａのガイド溝９に係合された状態で回動方向に沿ってスライド可能に支持されている。
【００５０】
ディスク搬送機構３４は、これら第１の回動アーム３５と第２の回動アーム３６とを連動させるための連動機構４１を有しており、この連動機構４１を介して第１の回動アーム３５と第２の回動アーム３６とが互いに逆向きに回動可能となっている。
【００５１】
具体的に、この連動機構４１は、第１の回動アーム３５と第２の回動アーム３６とを連結する第１の連結アーム４２及び第２の連結アーム４３を有している。これら第１の連結アーム４２及び第２の連結アーム４３は、長尺状の板金からなり、それぞれの長手方向の一端部が第１の回動アーム３５の基端部と第２の回動アーム３６の基端部とに回動可能に支持され、それぞれの長手方向の他端部が第２の支軸４４を介して回動可能に支持された、いわゆるパンタグラフ構造を有している。また、第２の支軸４４は、シャーシ１１の第１の支軸３７よりも前面側に設けられたガイドスリット４５に係合されており、このガイドスリット４５は、光ディスク２の挿入方向に亘って直線状に形成されている。
【００５２】
したがって、第１の回動アーム３５と第２の回動アーム３６とは、第２の支軸４４がガイドスリット４５内をスライドすることで、第１の連結アーム４２及び第２の連結アーム４３を介して互いに逆向きに回動可能となっている。すなわち、第１の回動アーム３５の先端部と第２の回動アーム３６の先端部とは、このような連動機構４１によって、互いに近接又は離間する方向に揺動可能となっている。
【００５３】
また、第１の回動アーム３５及び第２の回動アーム３６の基端部には、これら回動アーム３５，３６を互いに近接する方向に付勢する付勢手段である捻りコイルバネ（図示せず。）が設けられている。
【００５４】
ディスク搬送機構３４は、光ディスク２をディスク挿脱口１９から筐体３の内部へと引き込むローディング動作を補助するためのローディング補助手段として、ディスク挿脱口１９から挿入される光ディスク２の主面と平行な面内で揺動可能とされた第３の回動アーム４６を有している。
【００５５】
第３の回動アーム４６は、長尺状の板金からなり、ディスク装着部２３のターンテーブル２３ａを挟んだ左右の一方側（例えば図４中左側）の第２の回動アーム３６よりも前面側に位置して、基端部がデッキ部４ａ上に設けられた支軸４７を介して、矢印ｃ１方向及び矢印ｃ２方向に回動可能に支持されている。また、第３の回動アーム４６の先端部には、ディスク挿脱口１９から挿入された光ディスク２の外周部に当接される第３の当接部材４８が上方に向かって突出して設けられている。
【００５６】
第３の当接部材４８は、第３の回動アーム４６の天板部５ａと対向する主面に回転可能に取り付けられた小径の回転ローラであり、光ディスク２よりも柔らかい樹脂からなる。また、この第３の当接部材４８は、ディスク挿脱口１９から挿入された光ディスク２の外周部と当接される中央部分が内側に湾曲し、その両端部が拡径されたフランジ部４０ａとして光ディスク２の高さ方向の移動を規制する略鼓形形状を有している。
【００５７】
ディスク搬送機構３４は、光ディスク２をディスク挿脱口１９から筐体３の外部へと排出するイジェクト動作を補助するためのイジェクト補助手段として、ディスク挿脱口１９から挿入される光ディスク２の主面と平行な面内で揺動可能とされた第４の回動アーム４９を有している。
【００５８】
第４の回動アーム４９は、長尺状の板金からなり、ディスク装着部２３のターンテーブル２３ａを挟んだ左右の一方側（例えば図４中左側）の第２の回動アーム３６の中間部において、矢印ｄ１方向及び矢印ｄ２方向に回動可能に支持されている。また、第４の回動アーム４９の先端部には、ディスク挿脱口１９から挿入された光ディスク２の外周部の背面側に当接される第４の当接部材５０が上方に向かって突出して設けられている。
【００５９】
第４の当接部材５０は、光ディスク２よりも柔らかい樹脂からなり、ディスク挿脱口１９から挿入された光ディスク２の外周部と当接される中央部分が内側に湾曲し、その両端部が拡径されたフランジ部５０ａとして光ディスク２の高さ方向の移動を規制する略鼓形形状を有している。また、この第４の当接部材５０は、第４の回アーム４９の天板部５ａと対向する主面に回転可能に取り付けられた小径の回転ローラであってもよい。
【００６０】
また、第２の回動アーム３６には、この第４の回動アーム４９が背面側、すなわち矢印ｄ１方向に回動された際に、当該第４の回動アーム４９の背面側への回動を規制する規制片５１が設けられている。
【００６１】
このディスク搬送機構３４は、上述した各回動アーム３５，３６，４６，４９を協働させるための駆動レバー５２を有している。この駆動レバー５２は、全体が略直方体状に形成された樹脂部材からなり、ボトムケース４の底面部において、このボトムケース４の一方の側面部とベースユニット２２との間に配置されている。また、この駆動レバー５２は、ディスク挿脱口１９から筐体３の内部に挿入される光ディスク２よりも下方に位置しており、その上面部がデッキ部４ａの底面部と略一致した高さを有している。そして、この駆動レバー５２は、ボトムケース４の底面部に設けられた駆動モータやギヤ群等からなる図示を省略する変位駆動機構を介して前後方向にスライド駆動される。
【００６２】
そして、ディスク搬送機構３４では、この駆動レバー５２のスライド動作に連動して、上述した第２の支軸４４がガイドスリット４５内をスライドすることになる。これにより、第１の回動アーム３５及び第２の回動アーム３６は、連動機構４１を介して互いに逆向きに回動操作される。また、第３の回動アーム４６の基端側には、駆動レバー５２の上面に設けられたガイドスリット５３に係合されるガイドピン５４が設けられている。これにより、第３の回動アーム４６は、駆動レバー５２のスライド動作に連動して、ガイドピン５４がガイドスリット５３内をスライドすることで回動操作される。また、第４の回動アーム４９も、図示を省略する連結機構を介して駆動レバー５２のスライド動作に連動して回動操作される。
【００６３】
そして、このディスク搬送機構３４では、これら第１の回動アーム３５、第２の回動アーム３６、第３の回動アーム４６及び第４の回動アーム４９が互いに協働しながら、光ディスク２をディスク挿脱口から筐体３の内部へと引き込むローディング動作と、光ディスク２をディスク装着位置に位置決めするセンタリング動作と、光ディスク２をディスク挿脱口１９から筐体３の外部へと排出するイジェクト動作とを行う。
【００６４】
このディスクドライブ装置１は、図４に示すように、上述した駆動レバー５２のスライドに連動して、上記ベース２７を昇降操作するベース昇降機構５５を備えている。
【００６５】
このベース昇降機構５５は、ベース２７を上昇させて、ディスク装着位置に位置決めされた光ディスク２をディスク装着部２３のターンテーブル２３ａに装着するチャッキング位置と、ベース２７を下降させて、ディスク装着部２３のターンテーブル２３ａから光ディスク２を離脱するチャッキング解除位置と、ベース２７をチャッキング位置とチャッキング解除位置との間に位置させて、光ディスク２に対する信号の記録又は再生を行う中間位置との間でベース２７を昇降操作する。
【００６６】
具体的に、上述した駆動レバー５２のベース２７と対向する側面には、上記チャッキング位置、上記チャッキング解除位置及び上記中間位置に対応したカムスリット（図示せず。）が長手方向に亘って形成されている。
【００６７】
また、ボトムケース４の底面部には、ベース２７の背面側の側面に沿ってカムレバー５６が配置されている。このカムレバー５６は、長尺状の平板部材からなり、駆動レバー５２の前後方向のスライドに連動して、当該駆動レバー５２のスライド方向と略直交する方向にスライド操作される。また、このカムレバー５６の中間部には、ベース２７と対向する端縁部から上方に向かって折り曲げられたカム片５７が設けられている。このカム片５７には、上記チャッキング位置、上記チャッキング解除位置及び上記中間位置に対応したカムスリット（図示せず。）が長手方向に亘って形成されている。
【００６８】
また、ボトムケース４の底面部には、折曲げ片５８がベース２７の背面側の側面に沿って折り曲げ形成されている。この折曲げ片５８には、ベース２７を昇降させるための鉛直スリット（図示せず。）が上下方向に亘って形成されている。
【００６９】
これに対して、ベース２７は、図５に示すように、駆動レバー５２と対向する側面のディスク装着部２３側に位置して、駆動レバー５２のカムスリットに係合されて支持される第１の支軸５９と、カムレバー５６と対向する側面のディスク装着部２３側に位置して、カム片５７のカムスリット及び折曲げ片５８の鉛直スリットに係合されて支持される第２の支軸６０と、駆動レバー５２と対向する側面とは反対側の側面の前面側に位置して、ボトムケース４の他方側の側面に設けられた軸孔６１に回動可能に支持された第３の支軸６２と、カムレバー５６と対向する側面とは反対側の側面の前面側に位置して、ゴム等の粘弾性部材からなるインシュレータ６３を介してボトムケース４の底面部にネジ６４により固定支持された固定支持部６５とを有している。
【００７０】
したがって、このベース昇降機構５５では、駆動レバー５２及びカムレバー５６のスライドに連動して、第１の支軸５９が駆動レバー５２のカムスリット内をスライドすると共に、第２の支軸６０がカムレバー５６のカムスリット及び折曲げ片５８の鉛直スリット内をスライドすることによって、ベース２７のディスク装着部２３側が前面側に対して、上記チャッキング位置と上記チャッキング解除位置と上記中間位置との間で昇降操作される。
【００７１】
また、ボトムケース４の底面部には、図４に示すように、このベース昇降機構５５がベース２７を下降させたとき、ディスク装着部２３のターンテーブル２３ａ上に装着された光ディスク２をターンテーブル２３ａから離脱させるためのチャッキング解除手段である押上ピン６６が設けられている。この押上ピン６６は、ベースユニット２２のディスク装着部２３近傍、具体的にはディスク装着部２３に最も近接したベース２７の背面側に位置して、ボトムケース４の底面部から上方に向かって突出して設けられている。
【００７２】
次に、以上のように構成されるディスクドライブ装置１の具体的な動作について説明する。
【００７３】
このディスクドライブ装置１では、図６に示すように、光ディスク２が挿入される前の初期状態において、第１の回動アーム３５及び第２の回動アーム３６は、それぞれの先端部が所定の広がり角で開いた状態で保持されている。また、第３の回動アーム４６は、先端部が基端部よりも外側に位置し且つ先端部が基端部よりも前面側に位置した状態で保持されている。また、第４の回動アーム４９は、先端部が基端部よりも内側に位置し且つ先端部が基端部よりも前面側に位置した状態で保持されている。また、駆動レバー５２のボトムケース４の前面側に位置している。
【００７４】
このディスクドライブ装置１では、筐体３のディスク挿脱口１９から外径の異なる光ディスク２Ａ，２Ｂが挿入された場合であっても、これら光ディスク２Ａ，２Ｂをディスク装着位置まで引き込むローディング動作を行うことが可能である。
【００７５】
具体的に、筐体３のディスク挿脱口１９から大径ディスク２Ａが挿入された場合には、先ず、図７に示すように、ディスク挿脱口１９から筐体３の内部に挿入された大径ディスク２Ａの外周部の背面側が第１の回動アーム３５の第１の前面側当接部材３８及び第２の回動アーム３６の第２の前面側当接部材４０に当接された状態となる。
【００７６】
次に、図８に示すように、この状態から更に大径ディスク２Ａがディスク挿脱口１９から筐体３の内部に押し込まれると、第１の回動アーム３５と第２の回動アーム３６とが第１の前面側当接部材３８と第２の前面側当接部材４０との間で大径ディスク２Ａの外周部を挟み込む。このとき、第１の前面側当接部材３８と第２の前面側当接部材４０とが大径ディスク２Ａの外周部の背面側に当接された状態で、第１の回動アーム３５と第２の回動アーム３６とが捻りコイルバネの付勢に抗して互いに離間する方向、すなわち図８中に示す矢印ａ２，ｂ２の方向に回動される。
【００７７】
そして、第１の回動アーム３５及び第２の回動アーム３６が互いに離間する方向に所定量だけ回動されたとき、回路基板に設けられた検出スイッチが押圧されることによって、変位駆動機構による駆動レバー５２の背面側へのスライドが開始される。
【００７８】
これにより、第３の回動アーム４６は、図８中に示す矢印ｃ１の方向に回動される。また、第３の回動アーム４６は、第３の当接部材４８が大径ディスク２Ａの外周部の前面側に当接された状態となることで、この大径ディスク２Ａの外周部の前面側を押圧しながら、大径ディスク２Ａを筐体３の内部へと引き込むことになる。
【００７９】
そして、図９に示すように、大径ディスク２Ａの中心孔２ａが第１の前面側当接部材３８と第２の前面側当接部材４０とを結ぶ直線よりも背面側に位置するまで、大径ディスク２Ａが筐体３の内部に引き込まれると、第１の前面側当接部材３８と第２の前面側当接部材４０とが大径ディスク２Ａの外周部に沿って背面側から前面側へと回り込む。すると、今度は第１の前面側当接部材３８と第２の前面側当接部材４０とが大径ディスク２Ａの外周部の前面側に当接された状態で、第１の回動アーム３５と第２の回動アーム３６とが捻りコイルバネに付勢されて互いに近接する方向、すなわち図９中に示す矢印ａ１，ｂ１の方向に回動される。
【００８０】
これにより、第１の回動アーム３５及び第２の回動アーム３６は、大径ディスク２Ａの外周部の前面側を押圧しながら、大径ディスク２Ａを図１０に示すディスク装着位置まで引き込むことになる。
【００８１】
また、第４の回動アーム４９は、第４の当接部材５０が大径ディスク２Ａの外周部の背面側に当接された状態で押圧されることによって、図９中に示す矢印ｄ１の方向に回動される。そして、第４の回動アーム４９は、大径ディスク２Ｂが図１０に示すディスク装着位置で引き込まれた際に、第２の回動アーム３６の規制片５１に当接され、その回動が規制された状態となる。
【００８２】
一方、筐体３のディスク挿脱口１９から小径ディスク２Ｂが挿入された場合には、先ず、図１６に示すように、ディスク挿脱口１９から筐体３の内部に挿入された小径ディスク２Ｂの外周部の背面側が第１の回動アーム３５の第１の前面側当接部材３８及び第２の回動アーム３６の第２の前面側当接部材４０に当接された状態となる。
【００８３】
次に、図１７に示すように、この状態から更に小径ディスク２Ｂがディスク挿脱口１９から筐体３の内部に押し込まれると、第１の回動アーム３５と第２の回動アーム３６とが第１の前面側当接部材３８と第２の前面側当接部材４０との間で小径ディスク２Ｂの外周部を挟み込む。このとき、第１の前面側当接部材３８と第２の前面側当接部材４０とが小径ディスク２Ｂの外周部の背面側に当接された状態で、第１の回動アーム３５と第２の回動アーム３６とが捻りコイルバネの付勢に抗して互いに離間する方向、すなわち図１７中に示す矢印ａ２，ｂ２の方向に回動される。
【００８４】
そして、第１の回動アーム３５及び第２の回動アーム３６が互いに離間する方向に所定量だけ回動されたとき、回路基板に設けられた検出スイッチが押圧されることによって、変位駆動機構による駆動レバー５２の背面側へのスライドが開始される。
【００８５】
これにより、第３の回動アーム４６は、図１７中に示す矢印ｃ１の方向に回動される。また、第３の回動アーム４６は、第３の当接部材４８が小径ディスク２Ｂの外周部の前面側に当接された状態となることで、この小径ディスク２Ｂの外周部の前面側を押圧しながら、小径ディスク２Ｂをディスク挿脱口１９から筐体３の内部へと引き込むことになる。
【００８６】
そして、図１８に示すように、小径ディスク２Ｂの中心孔２ａが第１の前面側当接部材３８と第２の前面側当接部材４０とを結ぶ直線よりも背面側に位置するまで、小径ディスク２Ｂが筐体３の内部に引き込まれると、第１の前面側当接部材３８と第２の前面側当接部材４０とが小径ディスク２Ｂの外周部に沿って背面側から前面側へと回り込む。すると、今度は第１の前面側当接部材３８と第２の前面側当接部材４０とが小径ディスク２Ｂの外周部の前面側に当接された状態で、第１の回動アーム３５と第２の回動アーム３６とが捻りコイルバネに付勢されて互いに近接する方向、すなわち図１８中に示す矢印ａ１，ｂ１の方向に回動される。
【００８７】
これにより、第１の回動アーム３５及び第２の回動アーム３６は、小径ディスク２Ｂの外周部の前面側を押圧しながら、小径ディスク２Ｂを図１９に示すディスク装着位置まで引き込むことになる。
【００８８】
また、第４の回動アーム４９は、第４の当接部材５０が小径ディスク２Ｂの外周部の背面側に当接された状態で押圧されることによって、図１８中に示す矢印ｄ１の方向に回動される。そして、第４の回動アーム４９は、小径ディスク２Ｂが図１９に示すディスク装着位置で引き込まれた際に、第２の回動アーム３６の規制片５１に当接され、その回動が規制された状態となる。
【００８９】
このディスクドライブ装置１では、図１０及び図１９に示すように、第１の回動アーム３５及び第２の回動アーム３６が、これら外径の異なる光ディスク２Ａ，２Ｂをディスク装着位置まで引き込んだ際に、第１の前面側当接部材３８、第１の背面側当接部材３９、第２の前面側当接部材４０、第４の当接部材５０の内側に光ディスク２Ａ，２Ｂを挟み込むことによって、これら外径の異なる光ディスク２Ａ，２Ｂをディスク装着位置に位置決めするセンタリング動作を行う。すなわちこれら外径の異なる光ディスク２Ａ，２Ｂの中心孔２ａと、ターンテーブル２３ａの係合突部２８ａとを当該ディスク２の主面と直交する方向において一致させる。
【００９０】
次に、このディスクドライブ装置１では、上述した光ディスク２のセンタリング動作の後に、ベース昇降機構５５がベース２７を上昇させることによって、ディスク装着位置に位置決めされた光ディスク２をディスク装着部２３のターンテーブル２３ａに装着するチャッキング動作を行う。
【００９１】
具体的には、図２６に示すチャッキング解除位置からベース昇降機構５５によりベース２７が図２７に示すチャッキング位置まで上昇すると、ディスク装着位置に位置決めされた光ディスク２の中心孔２ａに係合突部２８ａが入り込みながら、天板部５ａの当接突部７に光ディスク２の中心孔２ａの周囲が押し付けられることによって、係合突部２８ａが光ディスク２の中心孔２ａに係合されると共に、複数の係止爪２８ｂが光ディスク２の中心孔２ａの周囲を係止した状態で、光ディスク２がターンテーブル２３ａ上に保持される。そして、光ディスク２がターンテーブル２３ａ上に保持された状態で、ベース昇降機構５５によりベース２７が図２８に示す中間位置まで下降する。
【００９２】
また、このディスクドライブ装置１では、上述したチャッキング動作の後に、図１１及び図２０に示すように、駆動レバー５２の背面側へのスライドに連動して、第１の回動アーム３５及び第２の回動アーム３６が互いに離間する方向、すなわち図１１及び図２０中に示す矢印ａ２，ｂ２の方向に僅かに回動される。このとき、第４の回動アーム４９は、規制片５１に当接されたまま、第２の回動アーム３６と一体に回動されることになる。また、第３の回動アーム４６は、駆動レバー５２の背面側へのスライドに連動して、図１１及び図２０中に示す矢印ｃ２の方向に僅かに回動される。
【００９３】
これにより、ターンテーブル２３ａに保持された光ディスク２Ａ，２Ｂの外周部からは、第１の前面側当接部材３８、第１の背面側当接部材３９、第２の前面側当接部材４０、第３の当接部材４８、第４の当接部材５０が離間した状態となる。
【００９４】
このディスクドライブ装置１では、図１１、図２０及び図２８に示す状態から、上記パーソナルコンピュータ１０００から記録又は再生の指令が送られると、この指令に基づいて、光ディスク２に対して情報信号の記録又は再生が行われる。具体的には、スピンドルモータ２４ａが光ディスク２をターンテーブル２３ａと一体に回転駆動すると共に、ピックアップ送り機構２６によって光学ピックアップ２５が外周側から内周側へ移動し、フォーカスサーボ制御とトラッキングサーボ制御がかかると、この光ディスク２のリードイン領域に記録されているＴＯＣデータの読み出しを行う。この後、情報信号を記録する場合にあっては、読み出したＴＯＣデータに基づいて、光ディスク２のプログラム領域内の所定のアドレスに、光学ピックアップ２５が移動する。また、情報信号の再生時にあっては、指定されたデータが記録されたプログラム領域内のアドレスに、光学ピックアップ２５が移動する。そして、この光学ピックアップ２５が光ディスク２の所望の記録トラックに対して情報信号の書き込み又は読み出し動作を行う。
【００９５】
このディスクドライブ装置１では、フロントパネル２０に設けられたイジェクトボタン２１が押圧される、或いは上記パーソナルコンピュータ１０００からディスクドライブ装置１に対してイジェクトの指令が送られると、この指令に基づいて、先ず、変位駆動機構による駆動レバー５２の前面側へのスライドが開始される。
【００９６】
そして、図１２及び図２１に示すように、この駆動レバー５２の前面側へのスライドに連動して、第１の回動アーム３５及び第２の回動アーム３６が互いに近接する方向、すなわち図１２及び図２１中に示す矢印ａ１，ｂ１の方向に僅かに回動される。このとき、第４の回動アーム４９は、規制片５１に当接されたまま、第２の回動アーム３６と一体に回動されることになる。また、第３の回動アーム４６は、駆動レバー５２の前面側へのスライドに連動して、図１２及び図２１中に示す矢印ｃ１の方向に僅かに回動される。
【００９７】
これにより、ターンテーブル２３ａに保持された光ディスク２Ａ，２Ｂの外周部に、第１の前面側当接部材３８、第１の背面側当接部材３９、第２の前面側当接部材４０、第３の当接部材４８、第４の当接部材５０が当接された状態となる。なお、図２１に示す小径ディスク２Ｂの場合には、第４の当接部材５０が小径ディスク２Ｂの外周部から離間した状態となる。
【００９８】
次に、このディスクドライブ装置１では、ベース昇降機構５５がベース２７を上記チャッキング解除位置まで下降させることによって、ディスク装着部２３のターンテーブル２３ａから光ディスク２を離脱するチャッキング解除動作を行う。
【００９９】
具体的には、ベース２７が上記チャッキング解除位置まで下降すると、押上ピン６６の先端部がディスク装着部２３のターンテーブル２３ａに装着された光ディスク２の内周側の非信号記録領域に当接することによって、この光ディスク２を押し上げながら、光ディスク２をターンテーブル２３ａ上から離脱する。
【０１００】
次に、このディスクドライブ装置１では、ディスク装着部２３にある光ディスク２Ａ，２Ｂをディスク挿脱口１９から筐体３の外部へと排出するイジェクト動作を行う。
【０１０１】
具体的に、筐体３のディスク挿脱口１９から大径ディスク２Ａを排出する場合には、先ず、図１３に示すように、駆動レバー５２の前面側へのスライドに連動して、第４の回動アーム４９が図１３中に示す矢印ｄ２の方向に回動される。また、第４の回動アーム４９は、第４の当接部材５０が大径ディスク２Ａの外周部の背面側に当接された状態となることで、この大径ディスク２Ａの外周部の背面側を押圧しながら、大径ディスク２Ａを筐体３の外部へと押し出すことになる。
【０１０２】
そして、図１４に示すように、大径ディスク２Ａの中心孔２ａが第１の前面側当接部材３８と第２の前面側当接部材４０とを結ぶ直線よりも前面側に位置するまで、大径ディスク２Ａが筐体３の外部へと排出されると、第１の前面側当接部材３８と第２の前面側当接部材４０とが大径ディスク２Ａの外周部に沿って前面側から背面側へと回り込む。すると、今度は第１の前面側当接部材３８と第２の前面側当接部材４０とが大径ディスク２Ａの外周部の背面側に当接された状態で、第１の回動アーム３５と第２の回動アーム３６とが捻りコイルバネに付勢されて互いに近接する方向、すなわち図１４中に示す矢印ａ１，ｂ１の方向に回動される。
【０１０３】
また、第３の回動アーム４６は、第３の当接部材４８が大径ディスク２Ａの外周部に当接された状態で押圧されることによって、図１４中に示す矢印ｃ２の方向に回動される。
【０１０４】
そして、第１の回動アーム３５及び第２の回動アーム３６は、大径ディスク２Ａの外周部の背面側を押圧しながら、大径ディスク２Ａを図１５に示すディスク挿脱位置、すなわち大径ディスク２Ａの中心孔２ａがディスク挿脱口１９から筐体３の外部に露出する位置まで押し出すことになる。
【０１０５】
一方、筐体３のディスク挿脱口１９から小径ディスク２Ｂを排出する場合には、先ず、図２２に示すように、駆動レバー５２の前面側へのスライドに連動して、第４の回動アーム４９が図２２中に示す矢印ｄ２の方向に回動される。また、第４の回動アーム４９は、第４の当接部材５０が小径ディスク２Ｂの外周部の背面側に当接された状態となることで、この小径ディスク２Ｂの外周部の背面側を押圧しながら、小径ディスク２Ｂを筐体３の外部へと押し出すことになる。
【０１０６】
そして、図２３に示すように、小径ディスク２Ｂの中心孔２ａが第１の前面側当接部材３８と第２の前面側当接部材４０とを結ぶ直線よりも前面側に位置するまで、小径ディスク２Ｂが筐体３の外部へと排出されると、第１の前面側当接部材３８と第２の前面側当接部材４０とが小径ディスク２Ｂの外周部に沿って前面側から背面側へと回り込む。すると、今度は第１の前面側当接部材３８と第２の前面側当接部材４０とが小径ディスク２Ｂの外周部の背面側に当接された状態で、第１の回動アーム３５と第２の回動アーム３６とが捻りコイルバネに付勢されて互いに近接する方向、すなわち図２３中に示す矢印ａ１，ｂ１の方向に回動される。
【０１０７】
また、第３の回動アーム４６は、第３の当接部材４８が小径ディスク２Ｂの外周部に当接された状態で押圧されることによって、図２３中に示す矢印ｃ２の方向に回動される。
【０１０８】
そして、第１の回動アーム３５及び第２の回動アーム３６は、小径ディスク２Ｂの外周部の背面側を押圧しながら、小径ディスク２Ｂを図２４に示すディスク挿脱位置まで押し出すことになる。
【０１０９】
なお、小径ディスク２Ｂの場合には、図２５に示すように、第１の回動アーム３５と第２の回動アーム３６とを互いに近接する方向、すなわち図２５中に示す矢印ａ１，ｂ１の方向に更に回動させることによって、小径ディスク２Ｂの中心孔２ａがディスク挿脱口１９から筐体３の外部に露出する位置まで小径ディスク２Ｂを押し出すことも可能である。
【０１１０】
上述したように、このディスクドライブ装置１では、第１の回動アーム３５及び第２の回動アーム３６によって、外径の異なる大径ディスク２Ａと小径ディスクとをディスク装着位置まで引き込んだ際に、第１の前面側当接部材３８、第１の背面側当接部材３９、第２の前面側当接部材４０、第４の当接部材５０の内側に光ディスク２Ａ，２Ｂを挟み込むことによって、これら外径の異なる光ディスク２Ａ，２Ｂをディスク装着位置に位置決めするセンタリング動作を行うことが可能である。
【０１１１】
ここで、図２９に模式的に示すように、第１の回動アーム３５と第２の回動アーム３６とは、ディスク装着部２３のターンテーブル２３ａを挟んで略対称となる位置に配置されており、このターンテーブル２３ａよりも背面側に位置する回動中心Ｏを中心として互いに近接又は離間する方向に回動可能となっている。
【０１１２】
また、外径の異なる光ディスク２Ａ，２Ｂの外周部と当接される４つの当接部材３８，３９，４０，５０のうち、第１の回動アーム３５のターンテーブル２３ａよりも前面側に位置する第１の前面側当接部材３８及び第１の回動アーム３５のターンテーブル２３ａよりも背面側に位置する第１の背面側当接部材３９と、第２の回動アーム３６のターンテーブル２３ａよりも前面側に位置する第２の前面側当接部材４０及び第２の回動アーム３６のターンテーブル２３ａよりも背面側に位置する第４の当接部材５０とは、ターンテーブル２３ａの中心部及び回動中心Ｏを通る光ディスク２の挿入方向に沿った中心線を挟んで略対称な位置関係となっている。
【０１１３】
ところで、直径１２ｃｍの大径ディスク２Ａをセンタリングする場合と、直径８ｃｍの小径ディスクをセンタリングする場合では、回動中心Ｏを中心とする第１の回動アーム３５及び第２の回動アームの回動範囲にΔθだけ角度差が生じることになる。
【０１１４】
したがって、この角度差Δθを考慮して、４つの当接部材３８，３９，４０，５０の配置を予め設定しておけば、上述したセンタリング動作の際に、これら４つの当接部材３８，３９，４０，５０を外径の異なる光ディスク２Ａ，２Ｂの外周部に当接させることが可能である。
【０１１５】
具体的に、ターンテーブル２３ａよりも前面側を通る回動中心Ｏを中心とした円弧をＳ１とし、この円弧Ｓ１とディスク装着位置にある大径ディスク２Ａ及び小径ディスク２Ｂの外周部との接点をそれぞれＡ，Ｂとし、ターンテーブル２３ａよりも背面側を通る回動中心Ｏを中心とした円弧をＳ２（Ｓ１＞Ｓ２）とし、この円弧Ｓ２とディスク装着位置にある大径ディスク２Ａの外周部及び小径ディスク２Ｂの外周部との接点をそれぞれＡ'，Ｂ'としたときに、角度ＡＯＢ＝Ａ'ＯＢ'＝Δθの関係を満足する２つの円弧Ｓ１，Ｓ２は、所定の半径の範囲に亘って存在することになる。そして、このような関係を満足する位置に、４つの当接部材３８，３９，４０，５０が配置されるよう設計がなされている。
【０１１６】
なお、円弧Ｓ１の近傍では、半径が小さくなるほどΔθは小さくなり、半径が大きくなるとΔθが大きくなる。そして、円弧Ｓ１を若干超えたところ、すなわち小径ディスク２Ｂの外周部と接触不可能となるところが設計限界となる。一方、円弧Ｓ２の近傍では、半径が小さくなるほどΔθは大きく、半径が大きくなるとΔθが小さくなる。そして、Δθには極小値があり、そこが設計限界となる。
【０１１７】
また、実際の設計においては、設計自由度の範囲内で最も好ましい円弧Ｓ１，Ｓ２の半径及び角度差Δθを設定することになるが、これらはＣＡＤソフトなど用いて作図しながら容易に求めることが可能である。
【０１１８】
以上のようにして、このディスクドライブ装置１では、第１の回動アーム３５及び第２の回動アーム３６が第１の前面側当接部材３８、第１の背面側当接部材３９、第２の前面側当接部材４０、及び第４の当接部材５０の内側に外径の異なる光ディスク２Ａ，２Ｂをそれぞれ挟み込んだ際に、これら外径の異なる光ディスク２Ａ，２Ｂの中心部（中心孔２ａ）と、ディスク装着部２３の中心部（ターンテーブル２３ａの係合突部２８ａと）を当該ディスク２の主面と直交する方向において一致させることが可能である。すなわち、これら外径の異なる光ディスク２Ａ，２Ｂをディスク装着位置に位置決めするセンタリング動作を適切且つ安定的に行うことが可能である。
【０１１９】
また、このディスクドライブ装置１では、第１の回動アーム３５及び第２の回動アーム３６によって、外径の異なる大径ディスク２Ａと小径ディスクとをディスク装着位置まで引き込むと同時にセンタリング動作が行われる。すなわち、第１の回動アーム３５及び第２の回動アーム３６によるセンタリング動作は、第３の回動アーム４６によって引き込まれた光ディスク２を更にディスク装着位置まで引き込む動作を兼ねている。
【０１２０】
したがって、このディスクドライブ装置１では、ディスク挿脱口１９から挿入される光ディスク２Ａ，２Ｂの外径の違いによらず、これら外径の異なる光ディスク２Ａ，２Ｂをディスク装着位置まで引き込むローディング動作を適切且つ安定的に行うことが可能である。
【０１２１】
具体的に、大径ディスク２Ａの半径が６ｃｍであるのに対して、小径ディスク２Ｂの半径は４ｃｍであることから、小径ディスク２Ｂの方が大径ディスク２Ａよりも２ｃｍほど余分にディスク挿脱口１９から筐体３の内部へと押し込まなければ、ディスク装着位置までの距離が等しくならない。すなわち、小径ディスク２Ｂの方が大径ディスク２Ａよりも、ディスク挿脱口１９から挿入された後のディスク装着位置までのストロークが２ｃｍほど不足することになる。
【０１２２】
そこで、上記ディスクドライブ装置１では、このような大径ディスク２Ａと小径ディスク２Ｂとの外径の違いによるストロークの差分を吸収するため、先ず、第３の回動アーム４６によって小径ディスク２Ｂの中心孔２ａが第１の前面側当接部材３８と第２の前面側当接部材４０とを結ぶ直線よりも背面側に位置するまで、小径ディスク２Ｂが筐体３の内部へと押し込まれる。なお、実際のマージンとして、大径ディスク２Ａの場合よりも１０ｍｍ程度余分に小径ディスク２Ａを押し込めば、その後の引き込み動作がより安定したものとなる。
【０１２３】
次に、第１の回動アーム３５と第２の回動アーム３６とが捻りコイルバネに付勢されて互いに近接する方向に回動されることによって、第１の前面側当接部材３８と第２の前面側当接部材４０との間に挟み込まれた小径ディスク２Ｂがディスク装着位置まで引き込まれる。
【０１２４】
このとき、第１の回動アーム３５と第２の回動アーム３６との閉じ具合に応じて、大径ディスク２Ａと小径ディスク２Ｂとの外径の違いによるストロークの差分が吸収されることになる。これにより、これら外径の異なる光ディスク２Ａ，２Ｂをディスク装着位置まで確実に引き込むことができる。
【０１２５】
また、上記ディスクドライブ装置１では、大径ディスク２Ａのセンタリング動作の際に、第３の回動アーム４６の第３の当接部材４８も大径ディスク２Ａの外周部に当接可能な構成となっている。すなわち、大径ディスク２Ａの外周部には、合計５つの当接部材３８，３９，４０，４８，５０が当接されることになる。
【０１２６】
ここで、センタリング動作の際に光ディスク２の外周部に当接される当接部は、第１の回動アーム３５のターンテーブル２３ａよりも前面側と、第１の回動アーム３５のターンテーブル２３ａよりも背面側と、第２の回動アーム３６のターンテーブル２３ａよりも前面側と、第２の回動アーム３６のターンテーブル２３ａよりも背面側とのうち、ターンテーブル２３ａを囲む少なくとも３箇所に合計３つ以上必要となる。
【０１２７】
したがって、上記ディスクドライブ装置１では、上述した条件を満足するのであれば、上記構成に必ずしも限定されるものではなく、例えばセンタリング時に大径ディスク２Ａの外周部から第３の当接部材４８を離間させた構成や、更にセンタリング時における当接箇所を３箇所とした構成とすることも可能である。
【０１２８】
また、上記ディスクドライブ装置１では、例えば図３０に示す第１の変形例のように、センタリング時に光ディスク２の外周部と当接される当接部材３８，３９，４０，５０の形状を略円弧状とすることも可能である。なお、この円弧の半径は、大径ディスク２ａの半径よりも小さいことが望ましい。
【０１２９】
この場合、第１の回動アーム３５及び第２の回動アーム３６によるローディング動作の開始位置を手前とすることができ、また、イジェクト動作完了後の光ディスク挿脱口１９からの光ディスク２の排出量を増やすことができる。
【０１３０】
また、この場合、図３１に模式的に示すように、大径ディスク２Ａをセンタリングするとき、略円弧状をなす第１の背面側当接部材３９及び第４の当接部材５０の背面側（図３１中に示すＡ'点）に、大径ディスク２Ａの外周部が当接することになる。一方、小径ディスク２Ｂをセンタリングするとき、略円弧状をなす第１の背面側当接部材３９及び第４の当接部材５０の前面側（図３１中に示すＢ'点）に、小径ディスク２Ｂの外周部が当接することになる。
【０１３１】
したがって、Ａ'ＯＢ'＝Δθは、第１の背面側当接部材３９及び第４の当接部材５０の円弧部分が長いほど小さくなる。また、角度差Δθが小さくなると、第１の回動アーム３５及び第２の回動アーム３６の回動範囲が狭くなる。これより、例えば回動アーム３５，３６の通過部分の減少によるデッドスペースの減少や、これら回動アーム３５，３６を駆動する駆動レバー５２の駆動ストロークの減少によるメカニカルストレスの減少等のメリットを得ることができる。
【０１３２】
このように、第１の背面側当接部材３９及び第４の当接部材５０の形状を略円弧形状とすることで、角度差Δθの設定範囲が広がることから、設計自由度を更に高めることが可能である。
【０１３３】
また、上記ディスクドライブ装置１では、例えば図３２に示す第２の変形例のように、センタリング時に光ディスク２の外周部と当接される各当接箇所に、複数の当接部材を配置した構成であってもよい。なお、ここでは、上記第１の背面側当接部材３９に代わって、第１の回動アーム３５のターンテーブル２３ａよりも背面側に、大径ディスク２Ａの外周部に当接可能な大径用当接部材７０ａと、小径ディスク２Ａの外周部に当接可能な小径用当接部材７０ｂとが配置されている。
【０１３４】
なお、第４の当接部材５０についても、複数の当接部材に分割する構成が考えられるが、この第４の当接部材５０は、上述したローディング動作やイジェクト動作の際に光ディスク２の外周部に沿って動作されることから、分割された当接部材による第４の回動アーム４９の不連続な動作を防ぐため、むしろ連続した形状となる略円弧形状とすることが望ましい。
【０１３５】
また、上述した光ディスク２のイジェクト動作を補助するためのイジェクト補助手段として、図３０及び図３２に示すように、ディスク挿脱口１９から挿入される光ディスク２の主面と平行な面内で揺動可能な第５の回動部材７１を第１の回動アーム３５に回動可能に取り付けた構成とすることも可能である。また、第５の回動部材７１には、ディスク挿脱口１９から挿入された光ディスク２の外周部の背面側に当接される第５の当接部材７２が上方に向かって突出して設けられている。これにより、上述したイジェクト動作をより確実に行うことが可能である。
【０１３６】
また、上記ディスクドライブ装置１では、第１の回動アーム３５及び第２の回動アーム３６が、天板部５ａのディスク装着部２３と対向する主面とディスク挿脱口１９から挿入された光ディスク２の主面との間で回動操作される。
【０１３７】
このため、ディスク挿脱口１９から挿入された光ディスク２とベース２７との間のクリアランスの影響を受けることがなく、上述した光ディスク２のローディング動作、センタリング動作及びイジェクト動作を適切且つ安定的に行うことが可能である。
【０１３８】
特に、外径の異なる光ディスク２Ａ，２Ｂのうち、小径ディスク２Ｂのセンタリング動作の後に、ベース２７を上昇させてターンテーブル２３Ａ上に小径ディスク２Ｂを装着するチャッキング動作を行った場合でも、第１の回動アーム３５及び第２の回動アーム３６とベース２７との衝突を回避することが可能である。
【０１３９】
したがって、このディスクドライブ装置１では、チャッキング時に狭小となる光ディスク２とベース２７との間のクリアランスの影響を受けることなく、装置全体を更に小型軽量薄型化することが可能であり、上述した外径の異なる光学ディスク２Ａ，２Ｂに対応することが可能である。
【０１４０】
また、このディスクドライブ装置１では、第１の回動アーム３５の先端部及び第２の回動アーム３６の先端部が天板部５ａに設けられたガイド部材８のガイド溝９に係合された状態でスライド可能に支持されている。これにより、天板部５ａのディスク装着部２３と対向する主面と、ディスク挿脱口１９から挿入された光ディスク２の主面との間で、これら第１の回動アーム３５及び第２の回動アーム３６を安定的に回動操作することが可能である。
【０１４１】
さらに、筐体３は、このようなガイド部材８を天板部５ａの前面側に取り付けることで、ガイド部材８が補強リブとして機能することになり、その結果、トップカバー５の剛性を高めることが可能である。これにより、トップカバー５のディスク挿脱口１９近傍の剛性低下を防ぎ、上述したベース２７を上昇させてディスク装着部２３のターンテーブル２３ａに光ディスク２を装着する際の動作信頼性を向上させることが可能である。
【０１４２】
以上のように、このディスクドライブ装置１では、簡素な機構を有しながら、外径の異なる光ディスク２Ａ，２Ｂに対応することが可能であり、小径ディスク２Ｂに大径ディスクに対応したアダプタを付ける必要もなく、操作性を更に良くすることが可能である。また、動作信頼性が高く、低コスト化も容易である。
【０１４３】
そして、このディスクドライブ装置１では、従来の外径の異なる光ディスク２Ａ，２Ｂに対応可能なスロットイン型のディスクドライブ装置に比べて、部品点数を大幅に削減することが可能であり、装置全体を更に小型軽量薄型化することが可能である。特に、ノート型パーソナルコンピュータ１０００等に搭載される超薄型のスロットインディスクドライブ装置として、厚さ１２．７ｍｍや９．５ｍｍといった薄さにまで対応することが可能である。
【０１４４】
次に、上記ディスクドライブ装置１を駆動制御するための具体的な構成について説明する。なお、以下の説明では、上記ディスクドライブ装置１と同等の部位については、説明を省略すると共に、図面において同じ符号を付すものとする。また、上記ディスクドライブ装置１とは異なる部分や説明を省略した部分についても、適宜説明していくものとする。
【０１４５】
上記ディスク搬送機構３４を構成する第１乃至第４の回動アーム３５，３６，４６，４９のうち、第１の回動アーム３５及び第２の回動アーム３６は、図３３に示すように、第１の前面側当接部材３８及び第２の前面側当接部材４０に、それぞれ前後一対の回転ローラ７３ａ，７３ｂが回転可能に取り付けられている。これら一対の回転ローラ７３ａ，７３ｂのうち、前面側の回転ローラ７３ａは、上述したローディング動作及びイジェクト動作の際に光ディスク２の外周部に当接に当接される部分であり、背面側の回転ローラ７３ｂは、上述したセンタリング動作の際に光りディスク２の外周部に当接される部分である。このように、一対の回転ローラ７３ａ，７３ｂに別々の機能を持たせることで、上述した第１の回動アーム３５及び第２の回動アーム３６による大径ディスク２Ａ及び小径ディスク２Ｂのローディング動作、センタリング動作及びイジェクト動作を確実且つ安定的に行うことが可能である。
【０１４６】
また、上記連動機構４１では、図３３，図３４及び図３５に示すように、上述した第１の回動アーム３５と第２の回動アーム３６とを外径の異なる大径ディスク２Ａと小径ディスク２Ｂに対応して回動操作する必要がある。このため、上記カムレバー５６の中間部から上方に向かって折り曲げられたカム片５７が更に水平方向に略コ字状に折り曲げられている。そして、このカム片５７の水平面部５７ａには、大径ディスク２Ａに対応した第１のカム部７４ａと、この第１のカム部７４ａよりも前面側をスリット状に切り欠くことによって、小径ディスク２Ｂに対応した第２のカム部７４ｂとが形成されている。
【０１４７】
そして、この連動機構４１では、筐体３のディスク挿脱口１９から大径ディスク２Ａが挿入された場合と小径ディスク２Ｂが挿入された場合との第１の回動アーム３５と第２の回動アーム３６との開き具合の違いによって、上記第２の支軸４４の第１のカム部７４ａと第２のカム部７４ｂとに対する係合状態が切り替わる。
【０１４８】
具体的に、大径ディスク２Ａが挿入された場合には、第２の支軸４４が第１のカム部７４ａに係合されて、上述したカムレバー５６の左右方向のスライド動作に連動しながら、この第２の支軸４４がガイドスリット４５内をスライドすることになる。これにより、大径ディスク２Ａの外径に対応して、第１の回動アーム３５と第２の回動アーム３６とを互いに近接又は離間する方向に回動操作することができる。
【０１４９】
一方、小径ディスク２Ｂが挿入された場合には、第２の支軸４４が第２のカム部７４ｂに係合されて、上述したカムレバー５６の左右方向のスライド動作に連動しながら、この第２の支軸４４がガイドスリット４５内をスライドすることになる。これにより、小径ディスク２Ｂの外径に対応して、第１の回動アーム３５と第２の回動アーム３６とを互いに近接又は離間する方向に回動操作することができる。
【０１５０】
また、上記ディスク搬送機構３４は、図３４に示すように、上述した第１の回動アーム３５と第２の回動アーム３６とを互いに近接する方向に付勢する付勢手段として、第１の捻りコイルバネ７５を有している。そして、この第１の捻りコイルバネ７５は、その巻回部分に第１の支軸３７が挿通された状態で、その一端部がアーム３５の基端部に掛止され、その他端部が第２の回動アーム３６に掛止されことによって、上記第１の回動アーム３５と第２の回動アームアーム３６とを互いに近接する方向に付勢している。
【０１５１】
また、上記ディスク搬送機構３４は、図３４及び図５７に示すように、上述した第１の回動アーム３５と第２の回動アーム３６とを互いに近接する方向に付勢する付勢状態と非付勢状態とを切替え可能とする付勢切替手段として、第２の回動アーム３６を押圧する押圧レバー７６と、この押圧レバー７６を第１の回動アーム３５と第２の回動アーム３６とが互いに近接される方向に付勢する付勢手段である第２の捻りコイルバネ７７とを有している。
【０１５２】
押圧レバー７６は、長尺状の板金からなり、その一端部に第２の回動アーム３６に当接される当接ピン７６ａと、その他端部に図３７に示す駆動レバー５２の上面部に形成されたカム溝７８に係合されるカムピン７６ｂとを有している。そして、この押圧レバー７６は、当接ピン７６ａが第２の回動アーム３６に当接される当接位置と、当接ピン７６ｂが第２の回動アーム３６から離間する退避位置との間で回動可能な状態でシャーシ１１上に軸支されている。
【０１５３】
第２の捻りコイルバネ７７は、その巻回部分がシャーシ１１に軸支された状態で、その一端部が同じくシャーシ１１に掛止され、その他端部が押圧レバー７６に掛止されことによって、この押圧レバー７６の当接ピン７６ａが第２の回動アーム３６に当接する方向に付勢している。
【０１５４】
したがって、このディスク搬送機構３４では、押圧レバー７６が第２の回動アーム３６を押圧することによって、上述した第１の回動アーム３５と第２の回動アーム３６とが互いに近接する方向に付勢された状態から、上記駆動レバー５２の背面側へのスライド動作に連動して、押圧レバー７６のカムピン７６ｂが駆動レバー５２のカム溝７８内をスライドしながら、上記駆動レバー５２が背面側の端部までスライドされたとき、第２の捻りコイルバネ７７の付勢に抗して上記退避位置まで回動されることによって、非付勢状態に切り替えることが可能である。
【０１５５】
上記第３の回動アーム４６は、図３３及び３４に示すように、デッキ部４ａ上に配置された付勢手段である捻りコイルバネ７９によって付勢されている。この捻りコイルバネ７９は、その一端部がデッキ部４ａの掛止ピン７９ａに掛止され、その他端部が第３の回動アーム４６の下面に設けられた掛止ピン７９ｂに掛止されており、この記第３の回動アーム４６に付勢される付勢力の向きを、上述した光ディスク２の外周部に当接される方向と、光ディスク２の外周部から離間する方向とに切り替えることが可能である。
【０１５６】
また、第３の回動アーム４６は、上記支軸４７が挿通される挿通される略Ｌ字状の軸孔４６ａと、図３７に示す駆動レバー５２の上面部に形成されたカム溝８０に係合されるカムピン７６ｂとを有している。そして、この第３の回動アーム４６は、図５６に示すように、上記駆動レバー５２のスライド動作に連動して、カムピン４６ｂがカム溝８０内をスライドすることによって回動操作される。また、この第３の回動アーム４６は、軸孔４６ａ内における支軸４７の位置によって、この第３の回動アーム４６の回動中心を切り替えることが可能となっている。
【０１５７】
上記第４の回動アーム４９は、図３３に示す連結機構８１を介して駆動レバー５２のスライド動作に連動して回動操作される。
【０１５８】
具体的に、この連結機構８１は、上記第１の支軸３７を介して回動可能に支持されたクランクアーム８２ａと、このクランクアーム８２ａと第４の回動アーム４９との間を連接する連接アーム８２ｂとからなるクランク機構を有している。また、連接アーム８２ｂには、第２の回動アーム３６に設けられたガイドピン８３ａを挿通させる長孔８３ｂが形成されている。したがって、このクランク機構は、第４の回動アーム４９の回動動作に連動して、クランクアーム８２ａを回動させることが可能となっている。
【０１５９】
また、この連結機構８１は、図３５に示すように、ボトムケース４の底面部に、上述したクランクアーム８２ａを介して回動される第１のギヤ８４と、この第１のギヤ８４と噛み合わされる第２のギヤ８５と、この第２のギヤ８５と噛み合わされる第３のギヤ８６が形成された回動操作部材８７とを有している。
【０１６０】
この回動操作部材８７は、駆動レバー５２のスライド動作に連動して、第４の回動アーム４９を回動操作するためのものであり、後述する駆動レバー５２のスライド部材９２と係合される係合ピン８８と、記録再生時に駆動レバー５２の背面側の端部に当接されて駆動レバー５２を位置決め固定する位置決めピン８９とを有している。
【０１６１】
そして、この回動操作部材８７は、付勢手段である引張りコイルバネ９０によって回動方向の一方側（ここでは、図３５中時計回りの方向）に付勢されている。この引張りコイルバネ９０は、その一端部がボトムケース４の底面部に設けられた掛止ピン９０ａに掛止され、その他端部が回動操作部材８７に設けられた掛止ピン９０ｂに掛止されることによって、この回動操作部材８７を回動方向の一方側に付勢している。なお、回動操作部材８７には、掛止ピン９０ａを逃がすための略円弧状のスリット９１が形成されている。
【０１６２】
一方、上記駆動レバー５２の背面側には、この駆動レバー５２に対して前後方向にスライド可能とされたスライド部材９２が取り付けられている。そして、このスライド部材９２は、第１の及び第２の引張りコイルバネ９３ａ，９３ｂにより前面側へと付勢されており、背面側の端部に回動操作部材８７の係合ピン８８が係合されることによって、駆動レバー５２のスライド動作に連動して、この回動操作部材８７を回動操作する。
【０１６３】
第１の及び第２の引張りコイルバネ９３ａ，９３ｂは、それぞれ前面側の端部が駆動レバー５２に掛止され、背面側の端部がスライド部材９２に掛止されることによって、スライド部材９２を駆動レバー５２に対して前面側へと付勢している。このうち、第１の引張りコイルバネ９３ａは、通常の駆動レバー５２及びスライド部材９２を一体で動作させるためのものであり、そのバネ力は、２００〜３００ｇｆ程度である。一方、第２の引張りコイルバネは、光ディスク２の正常な排出ができない場合に機構を保護するためのものであり、そのバネ力は、４００〜６００ｇｆ程度である。
【０１６４】
したがって、この連結機構８１では、光ディスク２のローディング動作の際に、第４の回動アームが背面側に向かって回動されると、上述したクランク機構８２を介して第１のギヤ８４が回動される。すると、第１のギヤ８４、第２のギヤ８５及び第３のギヤ８６の噛み合わせにより回動操作部材８７が引張りコイルバネ９０の付勢に抗して回動方向の他方側（ここでは、図３５中反時計回りの方向）に回動される。これにより、第４の回動アームの背面側への回動に連動して、駆動レバー５２を背面側へとスライドさせることができる。
【０１６５】
一方、光ディスク２のイジェクト動作の際には、駆動レバー５２が前面側へとスライド駆動されることによって、回動操作部材８７が回動方向の一方側（ここでは、図３５中時計回りの方向）に回動される。これにより、第３のギヤ８６、第２のギヤ８５及び第１のギヤ８４の噛み合わせによりクランク機構８２を介して第４の回動アームを前面側へと回動させることができる。
【０１６６】
第５の回動部材７１は、図３３に示すように、その外周部の所定の領域に亘って形成されたギヤ部７１ａを有し、このギヤ部７１ａがシャーシ１１上に配置された内歯ギヤ９４と噛合されることによって、第１の回動アーム３５の回動動作に連動しながら回動操作される。
【０１６７】
上記ベース昇降機構５５により上記ベースユニット２２を昇降操作するため、上記駆動レバー５２は、図３７ｃに示すように、ベース３１と対向する側面に形成された第１のカムスリット９５を有しており、この第１のカムスリット９５は、ベース２２を上記チャッキング解除位置に位置させるための第１の水平面部９５ａと、ベース２２を上記チャッキング位置に位置させるための頂上面部９５ｂと、ベース２２を上記中間位置に位置させるための第２の水平面部９５ｃとを有している。
【０１６８】
一方、上記カムレバー５６のカム片５７には、図３８（ｂ）に示すように、第２のカムスリット９６が形成されており、この第２のカムスリット９６は、ベース２２を上記チャッキング解除位置に位置させるための第１の水平面部９６ａと、ベース２２を上記チャッキング位置に位置させるための頂上面部９６ｂと、ベース２２を上記中間位置に位置させるための第２の水平面部９６ｃとを有している。
【０１６９】
ここで、上記カムレバー５６は、その主面に形成された前後一対のガイドスリット９７ａ，９７ｂを有しており、これらガイドスリット９７ａ，９７ｂに、図３５に示すボトムケース４の底面部から突出された一対の頭付ガイドピン９８ａ，９８ｂが係合されることによって、ベース２２の背面側の側面に沿って、駆動レバー５２のスライド方向と略直交する、すなわち左右方向にスライド可能に支持されている。
【０１７０】
また、カムレバー５６の駆動レバー５２と交差する位置には、ガイドピン９９が上方に向かって突出形成されている。一方、図３７（ｄ）に示す駆動レバー５２の底面部には、このガイドピン９９が係合されるガイドスリット１００が形成されている。そして、このカムレバー５６は、図３５に示すように、駆動レバー５２の前後方向のスライドに連動して、ガイドピン９９がガイドスリット１００内をスライドすることによって、駆動レバー５６のスライド方向と直交する方向にスライド操作される。
【０１７１】
上記ベース２７は、上述した図５に示すように、駆動レバー５２と対向する側面のディスク装着部２３側に位置して、駆動レバー５２の第１のカムスリット９５に係合されて支持される第１の支軸５９と、カムレバー５６と対向する側面のディスク装着部２３側に位置して、カム片５７の第２のカムスリット９６及び折曲げ片５８の鉛直スリットに係合されて支持される第２の支軸６０と、駆動レバー５２と対向する側面とは反対側の側面の前面側に位置して、ボトムケース４の他方側の側面に設けられた軸孔６１に回動可能に支持された第３の支軸６２と、カムレバー５６と対向する側面とは反対側の側面の前面側に位置して、ゴム等の粘弾性部材からなるインシュレータ６３を介してボトムケース４の底面部にネジ６４により固定支持された固定支持部６５とを有している。
【０１７２】
したがって、このベース昇降機構５５では、駆動レバー５２及びカムレバー５６のスライドに連動して、第１の支軸５９が駆動レバー５２の第１のカムスリット９５内をスライドすると共に、第２の支軸６０がカムレバー５６の第２のカムスリット９６及び折曲げ片５８の鉛直スリット内をスライドすることによって、ベース２７のディスク装着部２３側が前面側に対して、上記チャッキング位置と上記チャッキング解除位置と上記中間位置との間で昇降操作される。
【０１７３】
具体的に、図５８に示すチャッキング解除位置においては、駆動レバー５２の前面側へのスライドに連動して、カムレバー５６が右側へとスライドされることによって、第１の支軸５９が第１のカムスリット９５内の第１の水平面部９４ａに位置し、第２の支軸６０が第２のカムスリット９６内の第１の水平面部９６ａに位置することになる。これにより、ベースユニット２２がチャッキング解除位置まで下降する。
【０１７４】
また、図５９に示すチャッキング位置においては、駆動レバー５２の背面側へのスライドに連動して、カムレバー５６が左側へとスライドされることによって、第１の支軸５９が第１のカムスリット９５内の頂上面部９５ｂに位置し、第２の支軸６０が第２のカムスリット９６内の頂上面部９６ｂに位置することになる。これにより、ベースユニット２２がチャッキング位置まで上昇する。
【０１７５】
また、図６０に示す中間位置においては、駆動レバー５５の背面側の端部のスライドに連動して、カムレバー５６が左側の端部までスライドされることによって、第１の支軸５９が第１のカムスリット９５内の第２の水平面部９５ｃに位置し、第２の支軸６０が第２のカムスリット９６内の第２の水平面部９６ｃに位置することになる。これにより、ベースユニット２２がチャッキング解除位置とチャッキング位置との間の中間位置まで下降する。
【０１７６】
駆動レバー５２の前面側には、図３９及び図４０に示すように、この駆動レバー５２に対して所定のストロークだけ前後方向にスライド可能とされたラック部材１０１が取り付けられている。そして、このラック部材１０１には、前後方向に亘ってラックギヤ１０１ａが形成されている。一方、ボトムケース４の底面部には、図３５に示すように、変位駆動機構を構成する駆動モータ１０２と、この駆動モータ１０２の回転軸に取り付けられたウォームギヤ１０３と、このウォームギヤからラックギヤへと駆動モータの動力を伝達するギヤ列１０４とが配置されている。
【０１７７】
したがって、この変位駆動機構は、図３９に示すように、駆動モータ１０２を一の方向に回動駆動することによって、ウォームギヤ１０３、ギヤ列１０４及びラックギヤ１０１ａ介してラック部材１０１が駆動レバー５２の背面側に引き込まれた状態で、上記駆動レバー５２をラック部材１０１と一体に背面側へと変位駆動する。一方、この変位駆動機構は、図４０に示すように、駆動モータ１０２を他の方向に回動駆動することによって、ウォームギヤ１０３、ギヤ列１０４及びラックギヤ１０１ａ介してラック部材１０１が駆動レバー５２の前面側に引き出された状態で、上記駆動レバー５２をラック部材１０１と一体に前面側へと変位駆動する。
【０１７８】
また、ボトムケース４の底面部には、図３６に示すように、各部の駆動制御を行う駆動制御回路が構成された回路基板１０５が配置されている。この回路基板１０５は、ボトムケース４の背面側の底面部にネジ止めにより取り付けられている。また、このボトムケース４の底面部及び回路基板１０５上には、上記駆動制御回路を構成するＩＣチップ等の電子部品（図示せず。）や、各部の電気的な接続を図るためのコネクタ１０６、各部の動作を検出するための検出スイッチＳＷ１，ＳＷ２，ＳＷ３，ＳＷ４等が配置されている。
【０１７９】
そして、駆動制御回路は、これら検出スイッチＳＷ１，ＳＷ２，ＳＷ３，ＳＷ４からの検出信号に基づいて、上述した変位駆動機構により駆動される駆動レバー５２の位置を検出しながら、この変位駆動機構による駆動レバー５２の駆動制御を行っている。
【０１８０】
このうち、第１の検出スイッチＳＷ１は、ボトムケース４の前面側の端部に配置されている。そして、この第１の検出スイッチＳＷ１は、駆動レバー５２の前端部によってオン／オフが切り替わる。一方、第２乃至第３の検出スイッチＳＷ２，ＳＷ３，ＳＷ４は、回路基板９の駆動レバー５２と対向する端縁部に所定の間隔で前後に並んで配置されている。そして、これら第２乃至第４の検出スイッチＳＷ２，ＳＷ３，ＳＷ４は、図３７（ｂ），（ｃ）に示す駆動レバー５２の側面部に設けられたカム部１０７によってオン／オフが切り替わる。
【０１８１】
次に、以上のように構成されるディスクドライブ装置１の具体的な駆動制御について説明する。
【０１８２】
このディスクドライブ装置１では、先ず、光ディスク２が挿入された状態にある場合、図６１に示すタイミングチャートに従った駆動レバー５５の駆動制御を行いながら、光ディスク２が挿入される前の初期動作が行われ、それ以外の場合には、図６２に示すタイミングチャートに従った駆動レバー５５の駆動制御を行いながら、光ディスク２が挿入される前の初期動作が行われる。
【０１８３】
次に、筐体３のディスク挿脱口２１から大径ディスク２Ａが挿入されると、図６３に示すタイミングチャートに従った駆動レバー５５の駆動制御を行いながら、図４１乃至図４４に示す大径ディスク２Ａのローディング動作が行われる。
【０１８４】
具体的には、先ず、図４１に示す大径ディスク２Ａの挿入開始状態においては、押圧レバー７６の当接ピン７６ａが駆動レバー５２に当接されることによって、駆動レバー５２が前面側に向かって付勢されている。また、押圧レバー７６のカムピン７６ｂが駆動レバー５２のカム溝７８を押圧することによって、駆動レバー５２に前面側に向かう推力が生じている。
【０１８５】
次に、図４２に示す大径ディスク２Ａのローディング開始状態においては、大径ディスク２Ａに押圧された第４の回動アーム４９が背面側に向かって回動されると、連結機構８１を介して駆動レバー５５が背面側に向かってスライドする。このとき、第３の回動アーム４６のカムピン４６ｂが駆動レバー５２のカム溝８０内で移動が規制された状態となる。このため、駆動レバー５２に対してスライド部材９２が第１の引張りコイルバネ９３ａの付勢に抗して背面側へと移動する。そして、この第３の回動アーム４６が所定の角度位置、すなわち大径ディスク２Ａの引き込みが可能となったとき、駆動レバー５２が背面側に所定のストロークだけ移動したことを駆動制御回路が検出し、駆動モータ１０２の一の方向の回転駆動が開始される。
【０１８６】
次に、図４３に示す大径ディスク２Ａのセンタリング状態においては、第３の回動アーム４６の第３の当接部材４８と、第４の回動アーム４９の第４の当接部材５０と、第５の回動部材７１の第５の当接部材７２との間で大径ディスク２Ａのセンタリング動作が行われる。そして、図４４に示すように、大径ディスク２Ａのチャッキングが完了する。
【０１８７】
なお、このディスクドライブ装置１では、ベースユニット２２をチャッキング位置まで上昇させて、大径ディスク２Ａをターンテーブル２３ａに装着する１回目のチャッキング動作を行い、ベースユニット２２を中間位置まで下降させて、スピンドルモータ２４ａが大径ディスク２Ａを回転駆動し、当該ディスクの位相をずらした後に、再びベースユニット２２をチャッキング位置まで上昇させて、大径ディスク２Ａをターンテーブル２３ａに装着する２回目のチャッキング動作を行っている。
【０１８８】
次に、図４５に示す大径ディスク２Ａの記録再生状態においては、これら第３の回動アーム４６の第３の当接部材４８と、第４の回動アーム４９の第４の当接部材５０と、第５の回動部材７１の第５の当接部材７２とが大径ディスク２Ａの外周部から離間した状態となる。
【０１８９】
一方、このディスクドライブ装置１では、図６４に示すタイミングチャートに従った駆動レバー５５の駆動制御を行いながら、図４６及び図４７に示す大径ディスク２Ａのイジェクト動作が行われる。
【０１９０】
ここで、図４６に示す大径ディスク２Ａのイジェクト時においては、第３の回動アーム４６の軸孔４６ａ内における支軸４７の位置が切り替わることによって、この第３の回動アーム４６がローディング時よりも早いタイミングで大径ディスク２Ａの外周部から離間する方向に回動する。
【０１９１】
詳述すると、この第３の回動アーム４６は、駆動レバー５２の前面側のスライドに連動して、先ず、図５６（ａ）に示す状態から図５６（ｂ）に示す状態となる。このとき、カムピン４６ｂがカム溝８０内における右側に湾曲した部分をスライドすることによって、第３の回動アーム４６が反時計回りに回動する。
【０１９２】
次に、図５６（ｃ）に示す状態となるとき、カムピン４４ｂがカム溝８０内の傾斜面に当接されることによって、第３の回動アーム４６が左側に押し付けられる。このとき、支軸４７が軸孔４６ａ内におけるＬ字の下側の直線部分を通過する。この時点で大径ディスク２Ａがイジェクト可能な状態となる。
【０１９３】
次に、図５６（ｄ）に示す状態となるとき、軸孔４６ａ内における支軸４７の位置がＬ字の右側端部に切り替わることによって、ここを回転中心に第３の回動アーム４６が完全に開いた状態となる。
【０１９４】
次に、図５６（ｅ）に示す状態となるとき、第３の回動アーム４６が捻りコイルバネ７９に付勢されて、軸孔４６ａ内における支軸４７の位置がＬ字の左側端部に切り替わることによって、再びローディング前の状態に戻る。
【０１９５】
以上のようにして、このディスクドライブ装置１では、第３の回動アーム４６の回動中心を切り替えることによって、イジェクト時に第２の引張りコイルバネ９３ｂが引き延ばされた状態から第３の回動アーム４６が急激に開くのを防止することが可能であり、大径ディスク２Ａのイジェクト動作を安定的に行うことが可能である。
【０１９６】
これに対して、筐体３のディスク挿脱口２１から小径ディスク２Ｂが挿入されると、大径ディスク２Ｂの場合と同じく図６３に示すタイミングチャートに従った駆動レバー５５の駆動制御を行いながら、図４８乃至図５２に示す小径ディスク２Ｂのローディング動作が行われる。
【０１９７】
具体的には、先ず、図４８に示す小径ディスク２Ｂの挿入開始状態においては、押圧レバー７６の当接ピン７６ａが駆動レバー５２に当接されることによって、駆動レバー５２が前面側に向かって付勢されている。また、押圧レバー７６のカムピン７６ｂが駆動レバー５２のカム溝７８を押圧することによって、駆動レバー５２に前面側に向かう推力が生じている。
【０１９８】
次に、図４９に示す小径ディスク２Ｂのローディング開始状態においては、小径ディスク２Ｂに押圧された第４の回動アーム４９が背面側に向かって回動されると、連結機構８１を介して駆動レバー５５が背面側に向かってスライドする。そして、駆動レバー５２が背面側に所定のストロークだけ移動したことを駆動制御回路が検出し、駆動モータ１０２の一の方向の回転駆動が開始される。そして、第３の回動アーム４６のカムピン４６ｂが駆動レバー５２のカム溝８０内を移動することで、第３の当接部材４８が小径ディスク２の外周部に当接した状態で、第３の回動アーム４６が小径ディスク２Ｂを引き込む方向に回動する。
【０１９９】
次に、図５０に示す小径ディスク２Ｂのセンタリング状態においては、第１の回動アーム３５の第１の前面側当接部材３８に設けられた背面の回転ローラ７３ｂと、第２の回動アーム３６の第２の前面側当接部材４０に設けられた背面側の回転ローラ７３ｂと、第４の回動アーム４９の第４の当接部材５０と、第５の回動部材７１の第５の当接部材７２との間で大径ディスク２Ａのセンタリング動作が行われる。そして、図５１に示すように、大径ディスク２Ａのチャッキングが完了する。
【０２００】
なお、このディスクドライブ装置１では、ベースユニット２２をチャッキング位置まで上昇させて、小径ディスク２Ｂをターンテーブル２３ａに装着する１回目のチャッキング動作を行い、ベースユニット２２を中間位置まで下降させて、スピンドルモータ２４ａが小径ディスク２Ｂを回転駆動し、当該ディスクの位相をずらした後に、再びベースユニット２２をチャッキング位置まで上昇させて、小径ディスク２Ｂをターンテーブル２３ａに装着する２回目のチャッキング動作を行っている。
【０２０１】
次に、図５２に示す小径ディスク２Ｂの記録再生状態においては、これら第１の回動アーム３５の第１の前面側当接部材３８に設けられた背面の回転ローラ７３ｂと、第２の回動アーム３６の第２の前面側当接部材４０に設けられた背面側の回転ローラ７３ｂと、第４の回動アーム４９の第４の当接部材５０と、第５の回動部材７１の第５の当接部材７２とが小径ディスク２Ｂの外周部から離間した状態となる。
【０２０２】
一方、このディスクドライブ装置１では、図６５に示すタイミングチャートに従った駆動レバー５５の駆動制御を行いながら、図５３及び図５４に示す小径ディスク２Ｂのイジェクト動作が行われる。
【０２０３】
具体的には、先ず、図５３に示す小径ディスク２Ｂのイジェクト状態においては、駆動レバー５２が前面側に向かってスライドするのに伴って、第４の回動アーム４９が連結機構８１を介して前面側に回動されると共に、押圧レバー７６の当接ピン７６ａが駆動レバー５２に当接されて、第１の回動アーム３５と第２の回動アーム３６とを互いに近接する方向に付勢する。これにより、図５４に示すように、小径ディスク２Ｂを勢いよく排出することが可能である。
【０２０４】
ところで、このディスクドライブ装置１では、図５５に示すように、小径ディスク２Ｂがディスク挿脱口の第１の回動アーム３５側に片寄せされた位置から挿入された場合、上記連動機構を介して第１の回動アーム３５と第２の回動アーム３６とが互いに離間する方向に回動されるものの、ガイドスリット４５内をスライドする第２の支軸が左側に湾曲した湾曲部４５ａに引っ掛かることによって、第１の回動アーム３５と第２の回動アーム３６との互いに離間する方向の回動が係止され、小径ディスク２Ｂの更なる挿入が阻止される。
【０２０５】
これにより、ディスクドライブ装置１では、小径ディスク２Ｂのローディング動作が適切に行われない状態を防ぐことが可能である。
【０２０６】
なお、小径ディスク２Ｂがディスク挿脱口の第２の回動アーム３６側に片寄せされた位置から挿入された場合には、早いタイミングで駆動モータ１０２の一の方向の回転駆動が開始される。このため、第３の回動アーム４６が強制的に小径ディスク２Ｂを中心側へと引き込む。したがって、上述した小径ディスク２Ｂを第１の回動アーム３５側に片寄せした場合の問題は生じない。
【０２０７】
また、このディスクドライブ装置１では、大径ディスク２Ａが挿入された場合と、小径ディスク２Ｂが挿入された場合との何れの場合も、駆動レバー５２が背面側に同じストロークだけスライドされた時点で、この駆動レバー５２の背面側への駆動を開始することから、その後の駆動レバー５２の駆動を同じシーケンス制御で行うことが可能であり、外径の異なるディスク２Ａ，２Ｂ毎に別個の検出スイッチを設ける必要がなく、構造を簡素化することが可能である。
また、このディスクドライブ装置１は、図６６及び図６７に示すように、ボトムケース４の前面側にディスク挿脱口１９から挿入される光ディスク２の挿入角度を規制しながら案内する第１のディスクガイド機構１０８と、ターンテーブル２３ａに光ディスク２が装着された状態において、新たな光ディスク２がディスク挿脱口１９から筐体３の内部に挿入されるのを防止するためのシャッタ開閉機構１０９とを備えている。
【０２０８】
第１のディスクガイド機構１０８は、図６６，図６７及び図６８に示すように、ベース昇降機構５５によるベースユニット２２の昇降動作に同期しながら昇降操作される挿入ガイドレバー１１０を有している。この挿入ガイドレバー１１０は、光ディスク２との摩擦が少ない樹脂部材からなり、光ディスク２の挿入方向に挿入方向に沿って配置されると共に、基端側に設けられた支軸１１１がモータケース１１２の背面側に設けられた軸受部１１３に係合されて回動可能に支持されている。また、挿入ガイドレバー１１０の上面部には、大径ディスク２Ａ及び小径ディスク２Ｂに対応するため、ディスク挿脱口１９に沿った横長のガイド片１１０ａが前面側に向かって突出形成されている。また、挿入ガイドレバー１１０には、ベース２７に設けられた押圧片１１４によって押圧される被押圧片１１０ｂが背面側の側面から突出形成されている。
【０２０９】
また、挿入ガイドレバー１１０のガイド片１１０ａの下面には、モータケース１１２の背面に支持されたトーションバー１１５の一端が係合されている。このトーションバー１１５は、モーターケース１１２に取り付けられた捻りコイルバネ１１６に挿通された状態で、この捻りコイルバネ１１６の付勢力により一端を上方に向け、他端を下方に向けた状態となっている。
【０２１０】
そして、この第１のディスクガイド機構１０８では、図７０（ａ）に示すように、ベース２７がチャッキング解除位置にあるとき、ベース２７の押圧片１１４が挿入ガイドレバー１１０の被押圧片１１０ｂを下方に押圧することよって、挿入ガイドレバー１１０のガイド片１１０ａを逆にディスク挿脱口１９から挿入される光ディスク２の挿入角度を規制する位置まで上昇させることができる。一方、図７０（ｂ）に示すように、ベース１７が中間位置にあるとき、挿入ガイドレバー１１０の被押圧片１１０ｂに対するベース２７の押圧片１１４の押圧が解除されることによって、挿入ガイドレバー１１０のガイド片１１０ａをターンテーブル２３ａに装着された光ディスク２の信号記録面から離間する位置まで下降させることができる。
【０２１１】
したがって、このディスクドライブ装置１では、ベース昇降機構５５によるベース２７の昇降動作に連動しながら、第２のディスクガイド機構１０８が挿入ガイドレバー１１０を昇降操作することから、筐体３のディスク挿脱口１９から外径の異なる大径ディスク２Ａ又は小径ディスク２Ｂを挿入した際に、挿入ガイドレバー１１０のガイド片１１０Ａがディスク挿脱口１９から挿入された光ディスク２の挿入角度を規制しながら、当該ディスクを筐体３の内部へと案内することによって、当該ディスク２の信号記録面が筐体３内の部品と接触して傷付くのを防ぐことが可能である。特に、この挿入ガイドレバー１１０のガイド片１１０ａは、ディスク挿脱口１９に沿った横長形状を有することから、大径ディスク２Ａだけでなく、この大径ディスク２Ａよりも小径とされた小径ディスク２Ｂにも対応可能である。
【０２１２】
シャッタ開閉機構１０９は、図６６，図６７及び図６９に示すように、上述した第１のディスクガイド機構１０８による挿入ガイドレバー１１０の昇降動作に同期しながら昇降操作されるシャッタ部材１１７を有している。このシャッタ部材１１７は、略矩形状の平板部材からなり、背面側がボトムケース４の前面に設けられた鉛直スリット１１８に係合されて上下方向にスライド可能に支持されている。また、このシャッタ部材１１７の両側面部には、大径ディスク２Ａ及び小径ディスク２Ｂに対応するため、ディスク挿脱口１９に沿って延長された一対のシャッタ片１１７ａが設けられている。そして、このシャッタ部材１１７の背面側をトーションバー１１５の他端が支持している。これにより、シャッタ部材１１７は、下方に保持されている。
【０２１３】
そして、このシャッタ部材１１７は、第１のディスクガイド機構１０８による挿入ガイドレバー１１０の昇降動作に同期しながら、ディスク挿脱口１９から挿入される光ディスク２の進路を塞ぐ閉塞位置と、ディスク挿脱口１９から挿入される光ディスク２の進路を開放する開放位置との間で昇降動作される。
【０２１４】
具体的に、このシャッタ開閉機構１０９では、図７１（ａ）に示すように、ベース２７がチャッキング解除位置にあるとき、シャッタ部材１１７をディスク挿脱口１９から挿入される光ディスク２の進路を開放する開放位置まで下降させることができる。一方、このシャッタ開閉機構１０９では、図７１（ｂ）に示すように、ベース１７が中間位置にあるとき、挿入ガイドレバー１１０が上昇すると、モータケース１１２に支持されたトーションバー１１５が軸回りに回転し、シャッタ部材１１７を上方に向かって押し上げる。これにより、シャッタ部材１１７をディスク挿脱口１９から挿入される光ディスク２の進路を塞ぐ閉塞位置まで上昇させることができる。
【０２１５】
したがって、このディスクドライブ装置１では、ターンテーブル２３ａに光ディスク２が装着された状態において、シャッタ部材１１７により新たな大径ディスク２又は小径ディスク２Ｂがディスク挿脱口１９から筐体３の内部に挿入されるのを防ぐことが可能である。特に、このシャッタ部材１１７の一対のシャッタ片１１７ａは、ディスク挿脱口１９に沿って延長された両翼形状を有することから、このシャッタ部材１１７とディスク挿脱口１９との間の隙間から小径ディスク２Ｂが挿入されるのを防ぐことが可能である。
【０２１６】
さらに、このディスクドライブ装置１は、図６６，図６７及び図７１に示すように、ディスク挿脱口から挿入された小径ディスク２Ｂを第４の回動アーム４９の第４の当接部材５０と当接可能な高さに規制しながら、筐体３の内部へと案内する第２のディスクガイド機構１１８を備えている。
【０２１７】
この第２のディスクガイド機構１１８は、第４の回動アーム４９の先端部近傍に、ベース昇降機構５５によるベースユニット２２の昇降動作に同期しながら昇降操作されるガイドレバー１１９を有している。このガイドレバー１１９は、光ディスク２との摩擦が少ない樹脂部材からなり、小径ディスク２Ｂの挿入方向に挿入方向に沿って配置されると共に、基端側に設けられた支軸１１９ａがボトムケース４の底面部に設けられた軸受部材１２０の軸受部１２０ａに係合されて回動可能に支持されている。
【０２１８】
また、ガイドレバー１１９の先端側には、ガイドピン１１９ｂが駆動レバー５２に向かって突出形成されている。一方、駆動レバー５２には、図３７（ｂ），（ｃ）に示すように、このガイドピン１１９ｂが摺接されるカム部１２１が設けられている。一方、ガイドレバー１１３の基端側には、弾性片１１９ｃが前面側から背面側に向かって延長して設けられている。そして、この弾性片１１９ｃの先端部が軸受部材１２０の係止部１２０ｂに係止されている。したがって、このガイドレバー１１９の先端側は、この弾性片１１９ｃの弾性力によって下方に向かって付勢されることになる。
【０２１９】
また、ガイドレバー１１９の前面側の上面部には、ディスク挿脱口１９から挿入された小径ディスク２Ｂを第４の回動アーム４９の第４の当接部材５０に導くためのディスクガイド部１１９ｄが設けられている。一方、ガイドレバー１１９の背面側の上面部には、小径ディスク２Ｂをディスク挿脱口１９から筐体３の外部へと排出する際に、この第４の回動アーム４９を高さ方向に規制しながら背面側から前面側へと案内するアームガイド部１１９ｅが設けられている。これにより、第４の回動アーム４９が背面側から前面側へと回動された際に、この第４の回動アーム４９の第４の当接部材５０とターンテーブル２３ａの係合突部２８ａとの衝突を回避することが可能である。
【０２２０】
そして、このガイドレバー１１９は、駆動レバー５２が前後方向にスライドされると、ガイドピン１１９ｂがカム部１２１の上面部をスライドすることによって、ディスク挿脱口１９から挿入された小径ディスク２Ｂを高さ方向に規制するガイド位置と、ターンテーブル２３ａに装着された小径ディスク２Ｂの下面から離間する退避位置との間で昇降動作される。
【０２２１】
したがって、このディスクドライブ装置１では、筐体３のディスク挿脱口１９から小径ディスク２Ｂを挿入した際に、第４の回動アーム４９の先端部近傍に位置する第２のガイドレバーがディスク挿脱口１９から挿入された小径ディスク２Ｂを第４の回動アーム４９の第４の当接部材５０と当接可能な高さに規制しながら、筐体３の内部へと案内することによって、その後の小径ディスク２Ｂのローディング動作を適切且つ確実に行うことが可能である。
【０２２２】
なお、上記挿入ガイドレバー１１０は、第２の回動アーム３６の先端部近傍に位置しており、ディスク挿脱口１９から挿入された光ディスク２を第２の回動アーム３６の第２の前面側当接部材と当接可能な高さに規制しながら筐体３の内部へと案内する上記ガイドレバー１１９と同様の機能も有している。
【０２２３】
ところで、上述したディスクドライブ装置１では、図７２に示すように、トップカバー５の天板部５ａの剛性を高めるための補強用のビード部１３０を設けた構成とすることも可能である。このビード部１３０は、図７３に示すように、天板部５ａのディスク装着部２３と対向する主面が筐体３の内側に向かって僅かに突出され且つ反対側が凹とされた部分であり、第１の回動アーム３５及び第２の回動アーム３６の可動範囲を除く領域、具体的には、第１の回動アーム３５と第２の回動アーム３６との間におけるディスク装着部２３と対向する位置を挟んだ前後の領域に亘って設けられている。
【０２２４】
上述したように、このディスクドライブ装置１では、第１の回動アーム３５及び第２の回動アーム３６が天板部５ａのディスク装着部２３と対向する主面とディスク挿脱口１９から挿入された光ディスク２の主面との間で回動操作される。したがって、このディスクドライブ装置１では、第１の回動アーム３５及び第２の回動アーム３６の可動範囲を除く領域に亘って、このようなトップカバー５の天板部５ａの剛性を高めるための補強用のビード部１３０を大きく且つ充分な高さで確保することが可能である。
【０２２５】
以上のようにして、このディスクドライブ装置１では、トップカバー５の充分な剛性を確保することが可能であり、例えば装置全体を更に軽量薄型化するために、トップカバー５の厚みを薄くしたり、材質を軽くしたりした場合であっても、上述した光ディスク２のチャッキング動作を行う際の動作信頼性を得ることが可能である。
【０２２６】
なお、本発明は、上記ディスクドライブ装置１の構成に限定されるものではなく、例えば図７４に示すディスクドライブ装置２００であってもよい。なお、以下の説明では、上記ディスクドライブ装置１と同等の部位については、説明を省略すると共に、図面において同じ符号を付すものとする。
【０２２７】
このディスクドライブ装置２００は、上述したディスク搬送機構３４の代わりに、図３３に示すディスク搬送機構２０１を備えており、このディスク搬送機構２０１は、天板部５ａのディスク装着部２３と対向する主面と、ディスク挿脱口１９から挿入された光ディスク２の主面との間で移動操作されるサポート部材として、当該ディスク２の主面と平行な面内でスライド可能とされた第１のスライド板２０２及び第２のスライド板２０３を有している。
【０２２８】
これら第１のスライド板２０２及び第２のスライド板２０３は、ディスク装着部２３を挟んだ左右の両側に配置され、天板部５ａのディスク装着部２３と対向する主面に設けられた支持板２０４に、互いに近接又は離間する方向、すなわち図３１中に示す矢印Ｅ方向にスライド可能に支持されている。一方、支持板２０４は、天板部５ａのディスク装着部２３と対向する主面に光ディスク２の挿脱方向、すなわち図３１中に示す矢印Ｅ方向と直交する矢印Ｆ方向にスライド可能に支持されている。
【０２２９】
また、第１のスライド板２０２及び第２のスライド板２０３のディスク装着部２３と対向する主面には、第１の回動アーム２０５及び第２の回動アーム２０６が互いに近接又は離間する方向、すなわち図３１中に示す矢印Ｇ，Ｈ方向に回動可能に取り付けられている。また、これら第１の回動アーム２０５の両端部と第２の回動アーム２０６の両端部には、それぞれディスク挿脱口１９から挿入された光ディスク２の外周部と当接される第１の前面側当接部材２０７ａ及び第１の背面側当接部材２０７ｂと、第２の前面側当接部材２０８ａ及び第２の背面側当接部材２０８ｂとが下方に向かって突出して設けられている。
【０２３０】
以上のように構成されるディスクドライブ装置２００では、第１のスライド板２０２と第２のスライド板２０３とが互いに近接又は離間する方向にスライドしながら、第１の回動アーム２０５と第２の回動アーム２０６とが互いに近接又は離間する方向に回動することによって、第１の前面側当接部材２０７ａ及び第１の背面側当接部材２０７ｂと第２の前面側当接部材２０８ａ及び第２の背面側当接部材２０８ｂとの間で、ディスク挿脱口１９から挿入された光ディスク２を挟み込む。そして、この状態で支持板２０４がディスク装着位置までスライドすることによって、光ディスク２をディスク装着位置まで引き込むローディング動作が行われる。また、このディスクドライブ装置２００では、光ディスク２をディスク装着位置まで引き込むと同時に、光ディスク２をディスク装着位置に位置決めするセンタリング動作が行われる。一方、このディスクドライブ装置２００では、上述した動作の逆の動作によって、光ディスク２をディスク挿脱口１９から筐体３の外部へと排出するイジェクト動作が行われる。また、これら光ディスク２のローディング動作、センタリング動作及びイジェクト動作は、外径の異なる光ディスク、すなわち直径１２ｃｍの大径ディスク２Ａ及び直径８ｃｍの小径ディスク２Ｂにも対応可能である。
【０２３１】
以上のように、このディスクドライブ装置２００では、上記ディスクドライブ装置１と同様に、ディスク挿脱口１９から挿入された光ディスク２とベース２７との間のクリアランスの影響を受けることがなく、外径の異なる光ディスク２Ａ，２Ｂのローディング動作、センタリング動作及びイジェクト動作を適切且つ安定的に行うことが可能である。また、装置全体の更なる小型軽量薄型化が可能である。
【産業上の利用可能性】
【０２３２】
なお、本発明は、上述したノート型パーソナルコンピュータ１０００に搭載されるスロットイン型のディスクドライブ装置１，２００に適用したものに限定されるものではなく、光学ディスクに対して情報信号の記録及び／又は再生を行うディスクドライブ装置に対して広く適用可能である。
【図面の簡単な説明】
【０２３３】
【図１】ディスクドライブ装置が搭載されたノート型パーソナルコンピュータの外観を示す斜視図である。
【図２】ディスクドライブ装置の外観を示す斜視図である。
【図３】トップカバーを内面側から見た斜視図である。
【図４】ディスクドライブ装置の構成を示す平面図である。
【図５】ベースユニットの構成を示す斜視図である。
【図６】ディスクドライブ装置の動作を説明するための図であり、初期状態を示す平面図である。
【図７】ディスクドライブ装置の動作を説明するための図であり、大径ディスクの挿入開始状態を示す平面図である。
【図８】ディスクドライブ装置の動作を説明するための図であり、大径ディスクの引き込み開始状態を示す平面図である。
【図９】ディスクドライブ装置の動作を説明するための図であり、大径ディスクの引き込み時の引き渡し状態を示す平面図である。
【図１０】ディスクドライブ装置の動作を説明するための図であり、大径ディスクのセンタリング状態を示す平面図である。
【図１１】ディスクドライブ装置の動作を説明するための図であり、大径ディスクのチャッキング状態を示す平面図である。
【図１２】ディスクドライブ装置の動作を説明するための図であり、大径ディスクのチャッキング解除状態を示す平面図である。
【図１３】ディスクドライブ装置の動作を説明するための図であり、大径ディスクのイジェクト開始状態を示す平面図である。
【図１４】ディスクドライブ装置の動作を説明するための図であり、大径ディスクの排出時の引き渡し状態を示す平面図である。
【図１５】ディスクドライブ装置の動作を説明するための図であり、大径ディスクのイジェクト完了状態を示す平面図である。
【図１６】ディスクドライブ装置の動作を説明するための図であり、小径ディスクの挿入開始状態を示す平面図である。
【図１７】ディスクドライブ装置の動作を説明するための図であり、小径ディスクの引き込み開始状態を示す平面図である。
【図１８】ディスクドライブ装置の動作を説明するための図であり、小径ディスクの引き込み時の引き渡し状態を示す平面図である。
【図１９】ディスクドライブ装置の動作を説明するための図であり、小径ディスクのセンタリング状態を示す平面図である。
【図２０】ディスクドライブ装置の動作を説明するための図であり、小径ディスクのチャッキング状態を示す平面図である。
【図２１】ディスクドライブ装置の動作を説明するための図であり、小径ディスクのチャッキング解除状態を示す平面図である。
【図２２】ディスクドライブ装置の動作を説明するための図であり、小径ディスクのイジェクト開始状態を示す平面図である。
【図２３】ディスクドライブ装置の動作を説明するための図であり、小径ディスクの排出時の引き渡し状態を示す平面図である。
【図２４】ディスクドライブ装置の動作を説明するための図であり、小径ディスクのイジェクト完了状態を示す平面図である。
【図２５】ディスクドライブ装置の動作を説明するための図であり、小径ディスクの排出時のオーバーストローク状態を示す平面図である。
【図２６】ディスクドライブ装置の動作を説明するための図であり、ベースユニットがチャッキング解除位置にある状態を示す側面図である。
【図２７】ディスクドライブ装置の動作を説明するための図であり、ベースユニットがチャッキング位置にある状態を示す側面図である。
【図２８】ディスクドライブ装置の動作を説明するための図であり、ベースユニットが中間位置にある状態を示す側面図である。
【図２９】大径ディスク及び小径ディスクのセンタリング動作を説明するための模式図である。
【図３０】ディスクドライブ装置の第１の変形例を示す平面図である。
【図３１】第１の変形例による大径ディスク及び小径ディスクのセンタリング動作を説明するための模式図である。
【図３２】ディスクドライブ装置の第２の変形例を示す平面図である。
【図３３】ディスクドライブ装置のトップカバーを取り外した状態を示す平面図である。
【図３４】ディスクドライブ装置の一部の部品を取り外した状態を示す平面図である。
【図３５】ディスクドライブ装置の更に一部の部品を取り外した状態を示す平面図である。
【図３６】ディスクドライブ装置の駆動レバーと検出スイッチとの位置関係を示す平面図である。
【図３７】（ａ）は、駆動レバーを一方側から見た側面図であり、（ｂ）は、駆動レバーを上方側から見た平面図であり、（ｃ）は、駆動レバーを他方側から見た側面図であり、（ｄ）は、駆動レバーを下方側から見た平面図である。
【図３８】（ａ）は、カムレバーの構成を示す平面図であり、（ｂ）は、カムレバーの構成を示す側面図である。
【図３９】（ａ）は、ローディング動作時の駆動レバーを下方側から見た平面図であり、（ｂ）は、駆動レバーを上方側から見た平面図である。
【図４０】（ａ）は、イジェクト動作時の駆動レバーを下方側から見た平面図であり、（ｂ）は、駆動レバーを上方側から見た平面図である。
【図４１】ディスクドライブ装置の動作を説明するための図であり、大径ディスクの挿入開始状態を示す平面図である。
【図４２】ディスクドライブ装置の動作を説明するための図であり、大径ディスクのローディング開始状態を示す平面図である。
【図４３】ディスクドライブ装置の動作を説明するための図であり、大径ディスクのセンタリング状態を示す平面図である。
【図４４】ディスクドライブ装置の動作を説明するための図であり、大径ディスクのチャッキング完了状態を示す平面図である。
【図４５】ディスクドライブ装置の動作を説明するための図であり、大径ディスクの記録再生状態を示す平面図である。
【図４６】ディスクドライブ装置の動作を説明するための図であり、大径ディスクのイジェクト状態を示す平面図である。
【図４７】ディスクドライブ装置の動作を説明するための図であり、大径ディスクの排出完了状態を示す平面図である。
【図４８】ディスクドライブ装置の動作を説明するための図であり、小径ディスクの挿入開始状態を示す平面図である。
【図４９】ディスクドライブ装置の動作を説明するための図であり、小径ディスクのローディング開始状態を示す平面図である。
【図５０】ディスクドライブ装置の動作を説明するための図であり、小径ディスクのセンタリング状態を示す平面図である。
【図５１】ディスクドライブ装置の動作を説明するための図であり、小径ディスクのチャッキング完了状態を示す平面図である。
【図５２】ディスクドライブ装置の動作を説明するための図であり、小径ディスクの記録再生状態を示す平面図である。
【図５３】ディスクドライブ装置の動作を説明するための図であり、小径ディスクのイジェクト状態を示す平面図である。
【図５４】ディスクドライブ装置の動作を説明するための図であり、小径ディスクの排出完了状態を示す平面図である。
【図５５】ディスクドライブ装置の動作を説明するための図であり、小径ディスクが片側に寄って挿入された状態を示す平面図である。
【図５６】イジェクト時の第３の回動アームの動作を説明するための平面図である。
【図５７】押圧レバーと駆動レバーとの係合状態を示す要部平面図である。
【図５８】ベース昇降機構の動作を説明するための図であり、（ａ）は、ベースユニットがチャッキング解除位置にある状態を示す平面図であり、（ｂ）は、そのチャッキング解除位置におけるベースの第１の支軸と駆動レバーの第１のカムスリットとの位置関係を示す側面図であり、（ｃ）は、そのチャッキング解除位置におけるベースの第２の支軸とカム片の第２のカムスリットとの位置関係を示す側面図であり、（ｄ）は、そのチャッキング解除位置におけるベースユニットの位置を示す側面図である。
【図５９】ベース昇降機構の動作を説明するための図であり、（ａ）は、ベースユニットがチャッキング位置にある状態を示す平面図であり、（ｂ）は、そのチャッキング位置におけるベースの第１の支軸と駆動レバーの第１のカムスリットとの位置関係を示す側面図であり、（ｃ）は、そのチャッキング位置におけるベースの第２の支軸とカム片の第２のカムスリットとの位置関係を示す側面図であり、（ｄ）は、そのチャッキング位置におけるベースユニットの位置を示す側面図である。
【図６０】ベース昇降機構の動作を説明するための図であり、（ａ）は、ベースユニットが中間位置にある状態を示す平面図であり、（ｂ）は、その中間位置におけるベースの第１の支軸と駆動レバーの第１のカムスリットとの位置関係を示す側面図であり、（ｃ）は、その中間位置におけるベースの第２の支軸とカム片の第２のカムスリットとの位置関係を示す側面図であり、（ｄ）は、その中間位置におけるベースユニットの位置を示す側面図である。
【図６１】ディスクドライブ装置のディスクあり・初期動作時における第１のスイッチ、第２のスイッチ、第３のスイッチ及び第４のスイッチの切替状態を示すタイミングチャートである。
【図６２】ディスクドライブ装置のディスクなし・初期動作時における第１のスイッチ、第２のスイッチ、第３のスイッチ及び第４のスイッチの切替状態を示すタイミングチャートである。
【図６３】ディスクドライブ装置のローディング動作時における第１のスイッチ、第２のスイッチ、第３のスイッチ及び第４のスイッチの切替状態を示すタイミングチャートである。
【図６４】ディスクドライブ装置の大径ディスク・イジェクト動作時における第１のスイッチ、第２のスイッチ、第３のスイッチ及び第４のスイッチの切替状態を示すタイミングチャートである。
【図６５】ディスクドライブ装置の小径ディスク・イジェクト動作時における第１のスイッチ、第２のスイッチ、第３のスイッチ及び第４のスイッチの切替状態を示すタイミングチャートである。
【図６６】第１のディスクガイド機構、第２のディスクガイド機構及びシャッタ開閉機構と小径ディスクとの位置関係を示す平面図である。
【図６７】第１のディスクガイド機構、第２のディスクガイド機構及びシャッタ開閉機構と大径ディスク及び小径ディスクとの位置関係を示す平面図である。
【図６８】第１のディスクガイド機構の構成を示す要部図である。
【図６９】シャッタ開閉機構の構成を示す要部正面図である。
【図７０】第１のディスクガイド機構及びシャッタ開閉機構の動作を説明するための図であり、（ａ）は、ベースユニットがチャッキング解除位置にある状態を示す断面図であり、（ｂ）は、ベースユニットが記録再生位置にある状態を示す断面図である。
【図７１】第２のディスクガイド機構の動作を説明するための図であり、（ａ）は、ベースユニットがチャッキング解除位置にある状態を示す断面図であり、（ｂ）は、ベースユニットが記録再生位置にある状態を示す断面図である。
【図７２】トップカバーを内面側から見た平面図である。
【図７３】トップカバーのビード部と第１及び第２の回動アームとの位置関係を示す平面図である。
【図７４】本発明を適用したディスクドライブ装置の別の構成例を示す平面図である。
【符号の説明】
【０２３４】
１  ディスクドライブ装置、  ２  光ディスク、  ３  筐体、  ４  ボトムケース、  ５  トップカバー、  ８  ガイド部材、  ９  ガイド溝、  １０  窓部、  １１  シャーシ、  １９  ディスク挿脱口、  ２２  ベースユニット、  ２３  ディスク装着部、  ２３ａ  ターンテーブル、  ２４  ディスク回転駆動機構、  ２５  光学ピックアップ、  ２６  ピックアップ送り機構、２７  ベース、  ２８  チャッキング機構、  ３４  ディスク搬送機構、  ３５  第１の回動アーム、  ３６  第２の回動アーム、  ３８  第１の前面側当接部材、  ３９  第１の背面側当接部材、  ４０  第２の前面側当接部材、  ４１  連動機構、  ４６  第３の回動アーム、  ４８  第３の当接部材、  ４９  第４の回動アーム、  ５０  第４の当接部材、  ５２  駆動レバー、  ５５  ベース昇降機構、  ５６  カムレバー、  ６６  押上ピン、  ７１  第５の回動部材、  ７２  第５の当接部材、  ８１  連結機構、  １０１  ラック部材、  １０８  第１のディスクガイド機構、  １０９  シャッタ開閉機構、  １１０  挿入ガイドレバー、  １１７  シャッタ部材、  １１８  第２のディスクガイド機構、  １１９  ガイド部材、１３０  ビード部、  ２００  ディスクドライブ装置、  ２０１  ディスク搬送機構、  ２０２  第１のスライド板、  ２０３  第２のスライド板、  ２０４  支持板、  ２０５  第１の回動アーム、  ２０６  第２の回動アーム、２０７ａ  第１の前面側当接部材、  ２０７ｂ  第１の背面側当接部材、  ２０８ａ  第２の前面側当接部材、  ２０８ｂ  第２の背面側当接部材
【図１】
2005190645.tif 000003
【図２】
2005190645.tif 000004
【図３】
2005190645.tif 000005
【図４】
2005190645.tif 000006
【図５】
2005190645.tif 000007
【図６】
2005190645.tif 000008
【図７】
2005190645.tif 000009
【図８】
2005190645.tif 000010
【図９】
2005190645.tif 000011
【図１０】
2005190645.tif 000012
【図１１】
2005190645.tif 000013
【図１２】
2005190645.tif 000014
【図１３】
2005190645.tif 000015
【図１４】
2005190645.tif 000016
【図１５】
2005190645.tif 000017
【図１６】
2005190645.tif 000018
【図１７】
2005190645.tif 000019
【図１８】
2005190645.tif 000020
【図１９】
2005190645.tif 000021
【図２０】
2005190645.tif 000022
【図２１】
2005190645.tif 000023
【図２２】
2005190645.tif 000024
【図２３】
2005190645.tif 000025
【図２４】
2005190645.tif 000026
【図２５】
2005190645.tif 000027
【図２６】
2005190645.tif 000028
【図２７】
2005190645.tif 000029
【図２８】
2005190645.tif 000030
【図２９】
2005190645.tif 000031
【図３０】
2005190645.tif 000032
【図３１】
2005190645.tif 000033
【図３２】
2005190645.tif 000034
【図３３】
2005190645.tif 000035
【図３４】
2005190645.tif 000036
【図３５】
2005190645.tif 000037
【図３６】
2005190645.tif 000038
【図３７】
2005190645.tif 000039
【図３８】
2005190645.tif 000040
【図３９】
2005190645.tif 000041
【図４０】
2005190645.tif 000042
【図４１】
2005190645.tif 000043
【図４２】
2005190645.tif 000044
【図４３】
2005190645.tif 000045
【図４４】
2005190645.tif 000046
【図４５】
2005190645.tif 000047
【図４６】
2005190645.tif 000048
【図４７】
2005190645.tif 000049
【図４８】
2005190645.tif 000050
【図４９】
2005190645.tif 000051
【図５０】
2005190645.tif 000052
【図５１】
2005190645.tif 000053
【図５２】
2005190645.tif 000054
【図５３】
2005190645.tif 000055
【図５４】
2005190645.tif 000056
【図５５】
2005190645.tif 000057
【図５６】
2005190645.tif 000058
【図５７】
2005190645.tif 000059
【図５８】
2005190645.tif 000060
【図５９】
2005190645.tif 000061
【図６０】
2005190645.tif 000062
【図６１】
2005190645.tif 000063
【図６２】
2005190645.tif 000064
【図６３】
2005190645.tif 000065
【図６４】
2005190645.tif 000066
【図６５】
2005190645.tif 000067
【図６６】
2005190645.tif 000068
【図６７】
2005190645.tif 000069
【図６８】
2005190645.tif 000070
【図６９】
2005190645.tif 000071
【図７０】
2005190645.tif 000072
【図７１】
2005190645.tif 000073
【図７２】
2005190645.tif 000074
【図７３】
2005190645.tif 000075
【図７４】
2005190645.tif 000076